(57)【要約】      （修正有）【課題】同一または近隣の周波数帯を使用する通信装置同士による干渉が引き起こす性能劣化を抑えつつ通信を行うことを可能とする通信装置を提供する。【解決手段】無線ＬＡＮとＢｌｕｅｔｏｏｔｈとが組み込まれた通信装置において、監視制御部１２が無線ＬＡＮ動作状態２６により無線ＬＡＮ通信部１０が送信中か受信中かキャリアセンス中かを判定し、それに応じてＢｌｕｅｔｏｏｔｈ送信オフセット４８を出力し、Ｂｌｕｅｔｏｏｔｈ通信部１１の送信電力を調整する。【選択図】図１
2008235978.tif 000002
【特許請求の範囲】
【請求項１】
それぞれ送受信機能を有する複数の通信部と、前記通信部を監視し制御する監視制御部とを備える通信装置であって、前記監視制御部は、前記複数の通信部のうち、ある通信部（以下、第１の通信部とする）の動作内容をモニタして、前記モニタした動作内容に応じて、別の通信部（以下、第２の通信部とする）の送受信条件を調整するものである、通信装置。
【請求項２】
前記監視制御部は、前記モニタした動作内容が、ある通信動作を示す時、第２の通信部の送信条件を、他に与える干渉を下げるよう調節することを特徴とする請求項１記載の通信装置。
【請求項３】
前記監視制御部は、送信電力を下げるよう調節することで、他に与える干渉を下げるよう調節することを特徴とする請求項２記載の通信装置。
【請求項４】
前記監視制御部は、前記モニタした動作内容が、ある通信動作を示す時、別の通信動作を示す時に比べ、より、送信電力を下げるよう調節することを特徴とする請求項３記載の通信装置。
【請求項５】
前記監視制御部は、前記モニタした動作内容が、受信動作を示す時、送信動作を示す時に比べ、より、送信電力を下げるよう調節することを特徴とする請求項４記載の通信装置。
【請求項６】
前記監視制御部は、前記モニタした動作内容が、キャリアセンス動作を示す時、受信動作を示す時に比べ、より、送信電力を下げるよう調節することを特徴とする請求項４記載の通信装置。
【請求項７】
前記監視制御部は、前記モニタした動作内容が、キャリアセンス動作を示す時、送信動作を示す時に比べ、より、送信電力を下げるよう調節することを特徴とする請求項４記載の通信装置。
【請求項８】
前記監視制御部は、前記モニタした動作内容が、ある通信動作を示す時、第２の通信部の送受信条件を、他から受ける干渉を下げるよう調節することを特徴とする請求項１記載の通信装置。
【請求項９】
前記監視制御部は、第２の通信部のキャリアセンス多重アクセス機能において、信号あり（即ち送信不可）という判定が発生しにくい方向へ調節することで、他から受ける干渉を下げるよう調節することを特徴とする請求項８記載の通信装置。
【請求項１０】
前記監視制御部は、キャリアセンスにおける信号検出閾値を大きくすることで、信号あり（即ち送信不可）という判定が発生しにくい方向へ調節することを特徴とする請求項９記載の通信装置。
【請求項１１】
前記監視制御部は、キャリアセンスにおける電力計算から所定の値を差し引くことで、信号あり（即ち送信不可）という判定が発生しにくい方向へ調節することを特徴とする請求項９記載の通信装置。
【請求項１２】
前記監視制御部は、前記モニタした動作内容が、ある通信動作を示す時、別の通信動作を示す時に比べ、より、信号あり（即ち送信不可）という判定が発生しにくい方向へ調節することを特徴とする請求項９記載の通信装置。
【請求項１３】
前記監視制御部は、前記モニタした動作内容が、送信動作を示す時、受信動作を示す時に比べ、より、信号あり（即ち送信不可）という判定が発生しにくい方向へ調節することを特徴とする請求項１２記載の通信装置。
【請求項１４】
前記監視制御部は、前記通信部が使用する周波数チャンネルを監視し、前記第１の通信部が使用する周波数チャンネルと、前記第２の通信部が使用する周波数チャンネルとの周波数差に応じて送受信条件を調整することを特徴とする請求項１記載の通信装置。
【請求項１５】
それぞれ送受信機能を有する複数の通信部と、前記通信部を監視し制御する監視制御部とを備える通信装置であって、前記監視制御部は、前記複数の通信部のうち、ある通信部の動作内容をモニタして、前記モニタした動作内容に応じて、別の通信部の、通信相手の送受信条件を調整するものである、通信装置。
【発明の詳細な説明】
【技術分野】
【０００１】
本発明は、同一または近隣の周波数帯を使用する通信同士による干渉が引き起こす性能劣化を抑えつつ通信を行う通信装置に関する。
【背景技術】
【０００２】
近年、計算機ネットワークのデバイスとして無線デバイスが急速に普及し、一般的に使用されるに至っている。この要因は、２．４ＧＨｚ帯をＩＳＭ（Ｉｎｄｕｓｔｒｙ  Ｓｃｉｅｎｃｅ  Ｍｅｄｉｃａｌ）バンドと呼び免許不要の帯域として整備したことにある。
【０００３】
この同じ２．４ＨＨｚ帯を使用する無線デバイスとして、ＩＥＥＥ８０２．１１互換の無線ＬＡＮと、Ｂｌｕｅｔｏｏｔｈが広く普及している。
【０００４】
これら無線ＬＡＮと、Ｂｌｕｅｔｏｏｔｈとは、同一装置内に組み込まれ使用されることもある。例えば、Ｂｌｕｅｔｏｏｔｈヘッドセットを使用して、Ｂｌｕｅｔｏｏｔｈ・無線ＬＡＮ内蔵のＶｏＩＰ電話を使用する状況が考えられる。また、Ｂｌｕｅｔｏｏｔｈによりキーボードやマウスを接続しつつ、無線ＬＡＮによりインターネットと接続するＰＣを使用する状況も考えられる。
【０００５】
このような、同一または近隣の周波数帯を使用する通信同士は、相互に電波干渉を引き起こす。そして、通信速度性能に劣化をきたす。このような事情を考慮し、干渉による通信速度性能の劣化を避けるため、ＡＦＨ（ａｄａｐｔｉｖｅ  ｆｒｅｑｕｅｎｃｙ−ｈｏｐｐｉｎｇ；適応型周波数ホッピング）という技術がある。これは、Ｂｌｕｅｔｏｏｔｈの側で、無線ＬＡＮ帯域（約２５ＭＨｚ幅）を避ける技術である。
【０００６】
図８に、ＡＦＨが実行されている様子を示す。Ｂｌｕｅｔｏｏｔｈの側で、無線ＬＡＮ帯域（約２５ＭＨｚ幅）を避けている様子がわかる。詳細は、例えばＩＥＥＥ８０２．１５．２規格書（非特許文献１）に記載されている。
【０００７】
しかしながら、ＡＦＨでは十分に干渉による通信速度性能の劣化を避けることは出来ない。その理由もまたＩＥＥＥ８０２．１５．２規格書（非特許文献１）に詳しく記載されている。
【０００８】
同規格書（非特許文献１）４．２．４節によれば、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域（約２５ＭＨｚ幅）の中心周波数から２５ＭＨｚ離れた周波数に送信され、一方無線ＬＡＮは信号を送信しようとしている時に、以下のような問題が発生する。
【０００９】
Ｂｌｕｅｔｏｏｔｈ信号は、３０ｃｍの距離を進む間に約３０ｄＢ減衰し、−３０ｄＢｍで無線ＬＡＮに入力される。
【００１０】
このＢｌｕｅｔｏｏｔｈ信号は無線ＬＡＮ帯域（約２５ＭＨｚ幅）の中心周波数から２５ＭＨｚ離れた周波数であり、無線ＬＡＮ端末内部でフィルタにより大きく減衰する。ここでは３５ｄＢ減衰するものとする。その結果、Ｂｌｕｅｔｏｏｔｈ信号は、無線ＬＡＮ端末内部で−６５ｄＢｍとなる。
【００１１】
無線ＬＡＮは、物理層の仕様としてキャリアセンス多重アクセス（ＣＳＭＡ）を採用する。これは、送信前に帯域をキャリアセンスして信号がなければ送信し、信号があれば送信を待つものである（Ｂｌｕｅｔｏｏｔｈは、キャリアセンスすることなく、帯域に信号があろうがなかろうが送信する）。
【００１２】
無線ＬＡＮにおけるキャリアセンスの信号検出閾値は−７６ｄＢｍである。そのため、無線ＬＡＮ端末内部で−６５ｄＢｍのＢｌｕｅｔｏｏｔｈ信号は、無線ＬＡＮ帯域外であったにもかかわらず、信号検出閾値より１１ｄＢ大きい。従って、無線ＬＡＮ端末は、「信号有」と判定し、送信を行うことが出来ない。
【００１３】
このように、ＡＦＨによりＢｌｕｅｔｏｏｔｈの側で無線ＬＡＮ帯域（約２５ＭＨｚ幅）を避けても、なお、干渉の影響が大きい。
【００１４】
これは、無線ＬＡＮとＢｌｕｅｔｏｏｔｈが３０ｃｍ間隔で動作し、距離による減衰が約３０ｄＢであるという想定の元での結果である。更に距離が離れ１１ｄＢ以上の減衰が加われば、無線ＬＡＮ端末内部でＢｌｕｅｔｏｏｔｈ信号は−７６ｄＢｍ以下となって、信号検出閾値より小さくなり、干渉の影響は小さくなる。
【００１５】
だが、一般に、同一装置内に無線ＬＡＮとＢｌｕｅｔｏｏｔｈが存在する状況では、無線ＬＡＮとＢｌｕｅｔｏｏｔｈとの距離は小さくなるので、干渉の影響は大きくなる。
【００１６】
なお、無線ＬＡＮ帯域（約２５ＭＨｚ幅）の中心周波数から２５ＭＨｚ離れた周波数のＢｌｕｅｔｏｏｔｈ信号が無線ＬＡＮ端末内部で３５ｄＢ減衰するというのは、ＩＥＥＥ８０２．１１規格書（非特許文献２）１８．４．８．３節「Ｒｅｃｅｉｖｅｒ  ａｄｊａｃｅｎｔ  ｃｈａｎｎｅｌ  ｒｅｊｅｃｔｉｏｎ」に基づいている。
【００１７】
なお、非特許文献１のほかには、ＡＦＨを解説したものとして、例えば特許文献１、２といったものがある。
【００１８】
上記では、「（１）『Ｂｌｕｅｔｏｏｔｈ⇒無線ＬＡＮ』干渉問題」について説明した。なかでも、「（１）−１  無線ＬＡＮキャリアセンス時の問題」について説明した。
【００１９】
「（１）『Ｂｌｕｅｔｏｏｔｈ⇒無線ＬＡＮ』干渉問題」には、「（１）−１  無線ＬＡＮキャリアセンス時の問題」の他、「（１）−２  無線ＬＡＮ受信時の問題」、「（１）−３  無線ＬＡＮ送信時の問題」がある。
【００２０】
また、Ｂｌｕｅｔｏｏｔｈと無線ＬＡＮとの間の干渉問題としては、「（１）『Ｂｌｕｅｔｏｏｔｈ⇒無線ＬＡＮ』干渉問題」の他、「（２）『無線ＬＡＮ⇒Ｂｌｕｅｔｏｏｔｈ』干渉問題」がある。
【００２１】
以下で、図面を用いて説明する。
【００２２】
図７は、従来例における通信装置の構成を示すものである。２１は、ＷＬＡＮ受信信号である。２２は、ＷＬＡＮ送信信号である。前記ＷＬＡＮ受信信号２１と、前記ＷＬＡＮ送信信号２２は、２．４ＨＨｚ帯を使用するＩＥＥＥ８０２．１１互換の無線ＬＡＮ信号である。３１は、ＷＬＡＮ−ＢＴ信号である。３２は、ＢＴ−ＷＬＡＮ信号である。前記ＷＬＡＮ−ＢＴ信号３１と、前記ＢＴ−ＷＬＡＮ信号３２は、無線ＬＡＮやＢｌｕｅｔｏｏｔｈのフレームからペイロード部分を取り出したものである。４１は、ＢＴ受信信号である。４２は、ＢＴ送信信号である。
【００２３】
前記ＢＴ受信信号４１と、前記ＢＴ送信信号４２は、２．４ＨＨｚ帯を使用するＢｌｕｅｔｏｏｔｈ信号である。
【００２４】
１０（ｙ）は、ＷＬＡＮ通信部である。前記ＷＬＡＮ受信信号２１と、前記ＢＴ−ＷＬＡＮ信号３２とを入力し、前記ＷＬＡＮ送信信号２２と、前記ＷＬＡＮ−ＢＴ信号３１とを出力する。
【００２５】
１１（ｙ）は、ＢＴ通信部である。前記ＢＴ受信信号４１と、前記ＷＬＡＮ−ＢＴ信号３１とを入力し、前記ＢＴ送信信号４２と、前記ＢＴ−ＷＬＡＮ信号３３とを出力する。
【００２６】
以下では、前記ＷＬＡＮ通信部１０（ｙ）、前記ＢＴ通信部１１（ｙ）の添え字を外し、前記ＷＬＡＮ通信部１０、前記ＢＴ通信部１１と表す。
【００２７】
図５は、前記ＷＬＡＮ通信部１０の構成を示すものである。
【００２８】
前記ＷＬＡＮ受信信号２１、前記ＷＬＡＮ送信信号２２、前記ＷＬＡＮ−ＢＴ信号３１、前記ＢＴ−ＷＬＡＮ信号３２は、図７における説明のとおりである。２５は、ＷＬＡＮチャンネル番号である。２６は、ＷＬＡＮ動作状態である。２７は、ＷＬＡＮキャリアセンスオフセットである。２８は、ＷＬＡＮ送信オフセットである。前記ＷＬＡＮチャンネル番号２５は、無線ＬＡＮのチャンネル（周波数）を示す。一般的に、ユーザーは外部から前記ＷＬＡＮチャンネル番号２５の値を見たり、書き込んだり出来る。今回の説明においてはそのような機能が重要ではないため、前記ＷＬＡＮチャンネル番号２５は、単に出力として描かれ、書き込めないようになっており、また、この図５の一つ上の層である図７には描かれていない。前記ＷＬＡＮ動作状態２６は、前記無線ＬＡＮ部１０の動作状態を表す。一般的に、ユーザーは外部から前記ＷＬＡＮ動作状態２６を見て、前記無線ＬＡＮ部１０が受信中なのか送信中なのかキャリアセンス中なのかといったことを観測出来る。今回の説明においてはそのような機能が重要ではないため、前記ＷＬＡＮ動作状態２６は、この図５の一つ上の層である図７には描かれていない。
【００２９】
前記ＷＬＡＮキャリアセンスオフセット２７は、前記ＷＬＡＮ通信部１０のキャリアセンスにおける信号検出閾値を設定するための信号である。一般的に、無線ＬＡＮのキャリアセンスにおける信号検出閾値は、規格にのっとって−７６ｄＢｍとされるが、ユーザーは外部から設定することもある。ここでは、デフォルトとして−７６ｄＢｍであって、ユーザーは外部から前記ＷＬＡＮキャリアセンスオフセット２７としてオフセット値を入力するものとする。例えば前記ＷＬＡＮキャリアセンスオフセット２７として「１２」を入力すれば、信号検出閾値は「−６４ｄＢｍ」となる。今回の説明においてはそのような機能が重要ではないため、前記ＷＬＡＮキャリアセンスオフセット２７は、この図５の一つ上の層である図７には描かれていない。
【００３０】
前記ＷＬＡＮ送信オフセット２８は、前記ＷＬＡＮ通信部１０の送信電力を設定するための信号である。一般的に、無線ＬＡＮの送信電力は、規格にのっとって１４ｄＢｍとされるが、ユーザーは外部から設定することもある。ここでは、デフォルトとして１４ｄＢｍであって、ユーザーは外部から前記ＷＬＡＮ送信オフセット２８としてオフセット値を入力するものとする。例えば前記ＷＬＡＮ送信オフセット２８として「−４」を入力すれば、送信電力は「１０ｄＢｍ」となる。今回の説明においてはそのような機能が重要ではないため、前記ＷＬＡＮ送信オフセット２８は、この図５の一つ上の層である図７には描かれていない。
【００３１】
６２は、干渉低減受信信号である。６３は、送信可否信号である。６４は、送信動作状態である。６５は、復調動作状態である。前記送信動作状態６４と、前記復調動作状態６５とで、前記ＷＬＡＮ動作状態２６を構成する。
【００３２】
６７は、キャリアセンス閾値である。６８は、送信電力である。５２は、受信フィルタである。前記ＷＬＡＮ受信信号２１と、前記ＷＬＡＮチャンネル番号２５とを入力し、前記干渉低減信号６２を出力する。前記ＷＬＡＮチャンネル番号２５で示される無線ＬＡＮ帯域内の信号である、前記ＷＬＡＮ受信信号２１は、この受信フィルタ５２を通過し、前記干渉低減信号６２として出力される。一方、無線ＬＡＮ帯域外の非希望波は、この受信フィルタ５２を通過することによって、ある程度除去される。例えば、中心周波数から２５ＭＨｚ離れた信号は３５ｄＢ減衰する。
【００３３】
５３は、キャリアセンス部である。前記干渉低減信号６２と、前記キャリアセンス閾値６７とを入力し、前記送信可否信号６３を出力する。前記干渉低減信号６２と、前記キャリアセンス閾値６７とを比較し、前記干渉低減信号６２の方が大きければ、信号ありと判断し、「送信不可」とし、その情報を前記送信可否信号６３として出力する。前記干渉低減信号６２の方が小さければ、信号なしと判断し、「送信可」とし、その情報を前記送信可否信号６３として出力する。
【００３４】
５４は、送信部である。前記ＢＴ−ＷＬＡＮ信号３２と、前記送信可否信号６３と、前記送信電力６８と、前記ＷＬＡＮチャンネル番号２５とを入力し、前記ＷＬＡＮ送信信号２２と、前記送信動作状態６４とを出力する。内部にバッファを備え、前記ＢＴ−ＷＬＡＮ信号３２が有効である時（データが存在する時）に取り込んで、適切なタイミングで無線ＬＡＮの信号として送信する。内部にデータがなければ、送信されないので、前記ＷＬＡＮ送信信号２２は有効ではなく、前記送信動作状態６４は「非送信」とされる。内部にデータがあるときは以下のとおり。前記送信可否信号６３が「送信可」を示している時は、前記送信電力６８が示す電力（デフォルト：１４ｄＢｍ）で、前記ＷＬＡＮチャンネル番号２５が示すチャンネルで、前記ＷＬＡＮ送信信号２２として出力する。この時、前記送信動作状態６４は、「送信」とされる。前記送信可否信号６３が「送信不可」を示している時は、送信されないので、前記ＷＬＡＮ送信信号２２は有効ではなく、前記送信動作状態６４は、「キャリアセンス」とされる。（表１）にまとめる。
【００３５】
【表１】
2008235978.tif 000003
【００３６】
５５は、復調部である。前記干渉低減信号６２を入力し、前記ＷＬＡＮ−ＢＴ信号３１と、前記復調動作状態６５とを出力する。前記干渉低減信号６２に復調処理を施して前記ＷＬＡＮ−ＢＴ信号３１として出力する。前記干渉低減信号６２が有効である時（データが存在する時）、前記復調動作状態６５は、「受信」とされる。前記干渉低減信号６２が有効でない時（データが存在しない時）、前記復調動作状態６５は、「非受信」とされる。
【００３７】
５７は、キャリアセンス閾値レジスタである。前記ＷＬＡＮキャリアセンスオフセット２７を入力し、前記キャリアセンス閾値６７を出力する。デフォルトの値として「−７６ｄＢｍ」なる前記キャリアセンス閾値６７を保持する。
【００３８】
５８は、送信電力レジスタである。前記ＷＬＡＮ送信オフセット２８を入力し、前記送信電力６８を出力する。デフォルトの値として「１４ｄＢｍ」なる前記送信電力６８を保持する。
【００３９】
５９は、ＷＬＡＮチャンネルレジスタである。前記ＷＬＡＮチャンネル番号２５を出力する。デフォルトの値を持つ。
【００４０】
図６は、前記ＢＴ通信部１１の構成を示すものである。
【００４１】
前記ＢＴ受信信号４１、前記ＢＴ送信信号４２、前記ＷＬＡＮ−ＢＴ信号３１、前記ＢＴ−ＷＬＡＮ信号３２は、図７における説明のとおりである。４５は、ＢＴスロット番号である。４６は、ＢＴ動作状態である。４８は、ＢＴ送信オフセットである。前記ＢＴスロット番号４５は、Ｂｌｕｅｔｏｏｔｈのスロット周波数を表す。一般的に、ユーザーは外部から前記ＢＴスロット番号４５の値を見ることが出来る。今回の説明においてはそのような機能が重要ではないため、前記ＢＴスロット番号４５は、この図６の一つ上の層である図７には描かれていない。
【００４２】
前記ＢＴ動作状態４６は、前記ＢＴ通信部１１の動作状態を表す。一般的に、ユーザーは外部から前記ＢＴ動作状態４６を見て、前記ＢＴ通信部１１が受信中なのか送信中なのかといったことを観測出来る。今回の説明においてはそのような機能が重要ではないため、前記ＢＴ動作状態４６は、この図６の一つ上の層である図７には描かれていない。
【００４３】
前記ＢＴ送信オフセット４８は、前記ＢＴ通信部１１の送信電力を設定するための信号である。一般的に、Ｂｌｕｅｔｏｏｔｈの送信電力は、規格にのっとって０ｄＢｍとされるが、ユーザーは外部から設定することもある。ここでは、デフォルトとして０ｄＢｍであって、ユーザーは外部から前記ＢＴ送信オフセット４８としてオフセット値を入力するものとする。例えば前記ＢＴ送信オフセット４８として「−１０」を入力すれば、送信電力は「−１０ｄＢｍ」となる。今回の説明においてはそのような機能が重要ではないため、前記ＢＴ送信オフセット４８は、この図６の一つ上の層である図７には描かれていない。
【００４４】
８１は、タイミング信号である。８２は、干渉低減受信信号である。８４は、送信動作状態である。８５は、復調動作状態である。前記送信動作状態８４と、前記復調動作状態８５とで、前記ＢＴ動作状態４６を構成する。
【００４５】
８６は、スロット状態である。８８は、送信電力である。７１は、タイミング制御部である。前記タイミング信号８１を出力する。７２は、受信フィルタである。前記ＢＴ受信信号４１と、前記ＢＴスロット番号４５とを入力し、前記干渉低減信号８２を出力する。前記ＢＴスロット番号４５で示される、Ｂｌｕｅｔｏｏｔｈスロット（１ＭＨｚ幅）内の信号である、前記ＢＴ受信信号４１は、この受信フィルタ７２を通過し、前記干渉低減信号８２として出力される。一方、Ｂｌｕｅｔｏｏｔｈスロット（１ＭＨｚ幅）外の非希望波は、この受信フィルタ７２を通過することによって、ある程度除去される。
【００４６】
７４は、送信部である。前記タイミング信号８１と、前記ＷＬＡＮ−ＢＴ信号３１と、前記送信電力８８と、前記ＢＴスロット番号４５とを入力し、前記ＢＴ送信信号４２と、前記送信動作状態８４とを出力する。内部にバッファを備え、前記ＷＬＡＮ−ＢＴ信号３１が有効である時（データが存在する時）に取り込んで、適切なタイミングでＢｌｕｅｔｏｏｔｈの信号として送信する。内部にデータがなければ、送信されないので、前記ＢＴ送信信号４２は有効ではなく、前記送信動作状態８４は「非送信」とされる。内部にデータがあるときは、前記送信電力８８が示す電力（デフォルト：０ｄＢｍ）で、前記ＢＴスロット番号４５が示すスロットで、前記ＢＴ送信信号４２として出力する。この時、前記送信動作状態８４は、「送信」とされる。（表２）にまとめる。
【００４７】
【表２】
2008235978.tif 000004
【００４８】
７５は、復調部である。前記干渉低減信号８２を入力し、前記ＢＴ−ＷＬＡＮ信号３２と、前記復調動作状態８５とを出力する。前記干渉低減信号８２に復調処理を施して前記ＢＴ−ＷＬＡＮ信号３２として出力する。前記干渉低減信号８２が有効である時（データが存在する時）、前記復調動作状態８５は、「受信」とされる。前記干渉低減信号８２が有効でない時（データが存在しない時）、前記復調動作状態８５は、「非受信」とされる。
【００４９】
７８は、送信電力レジスタである。前記ＢＴ送信オフセット４８を入力し、前記送信電力８８を出力する。デフォルトの値として「０ｄＢｍ」なる前記送信電力８８を保持する。
【００５０】
７９は、ＡＦＨ部である。前記タイミング信号８１と、前記スロット状態８６とを入力し、前記ＢＴスロット番号４５を出力する。一般的なＡＦＨの手法に従い、前記スロット状態８６から、各スロットの状態を把握し、干渉の少ないスロットを把握し、前記タイミング信号８６に従って、送信、受信のタイミングごとに乱数により干渉の少ないスロットから一つを選び、前記ＢＴスロット番号４５として出力する。一般的なＡＦＨの手法については、例えばＩＥＥＥ８０２．１５．２規格書（非特許文献１）に詳しく記載されている。
【００５１】
このように構成された、従来例の通信装置の動作を説明する。
【００５２】
まず、状況に左右されない普遍的な動作を説明する。
【００５３】
この通信装置は、２．４ＨＨｚ帯を使用するＩＥＥＥ８０２．１１互換の無線ＬＡＮ信号である、前記ＷＬＡＮ受信信号２１を受信し、内部の前記ＷＬＡＮ通信部１０で処理を行って、無線ＬＡＮのフレームからペイロード部分を取り出し、前記ＷＬＡＮ−ＢＴ信号３１を出力する。
【００５４】
この前記ＷＬＡＮ−ＢＴ信号３１については、この通信装置は、内部の前記ＢＴ通信部１１で処理を行って、２．４ＨＨｚ帯を使用するＢｌｕｅｔｏｏｔｈ信号である、前記ＢＴ送信信号４２として出力する。
【００５５】
一方、この通信装置は、２．４ＨＨｚ帯を使用するＢｌｕｅｔｏｏｔｈ信号である、前記ＢＴ受信信号４１を受信し、内部の前記ＢＴ通信部１１で処理を行って、Ｂｌｕｅｔｏｏｔｈのフレームからペイロード部分を取り出し、前記ＢＴ−ＷＬＡＮ信号３２を出力する。
【００５６】
この前記ＢＴ−ＷＬＡＮ信号３２については、この通信装置は、内部の前記ＷＬＡＮ通信部１０で処理を行って、２．４ＨＨｚ帯を使用するＩＥＥＥ８０２．１１互換の無線ＬＡＮ信号である、前記ＷＬＡＮ送信信号２２として出力する。
【００５７】
この通信装置内部の、前記ＷＬＡＮ通信部１０では、以下の動作が行われる。
【００５８】
前記ＷＬＡＮ受信信号２１は、前記受信フィルタ５２で、無線ＬＡＮ帯域（約２５ＭＨｚ幅）の外の非希望波をある程度除去され、前記干渉低減信号６２となる。例えば、中心周波数から２５ＭＨｚ離れた信号は３５ｄＢ減衰する。
【００５９】
この前記干渉低減信号６２は、前記復調部５５で復調処理が施され、前記ＷＬＡＮ−ＢＴ信号３１となる。
【００６０】
この前記干渉低減信号６２は、前記キャリアセンス部５３でも使用される。前記キャリアセンス部５３は、前記干渉低減信号６２と、前記キャリアセンス閾値６７とを比較し、前記干渉低減信号６２の方が大きければ、信号ありと判断し、「送信不可」とし、その情報を前記送信可否信号６３として出力する。前記干渉低減信号６２の方が小さければ、信号なしと判断し、「送信可」とし、その情報を前記送信可否信号６３として出力する。
【００６１】
一方、前記ＢＴ−ＷＬＡＮ信号３２は、前記送信部５４で処理が施され、前記ＷＬＡＮ送信信号２２となる。この前記ＷＬＡＮ送信信号２２は、前記送信電力６８の値が変更されない限り、デフォルトの１４ｄＢｍで送信される。ただし、前記送信可否信号６３が「送信不可」ならば送信せず待つ。
【００６２】
前記送信部５４は、内部のバッファに前記ＢＴ−ＷＬＡＮ信号３２由来のデータが存在する時、かつ、前記送信可否信号６３が「送信可」を示している時に、前記送信電力６８が示す電力（デフォルト：１４ｄＢｍ）で、前記ＷＬＡＮチャンネル番号２５が示すチャンネルで、前記ＢＴ−ＷＬＡＮ信号３２を、前記ＷＬＡＮ送信信号２２として出力する。この時、前記送信動作状態６４は、「送信」とされる。前記ＢＴ−ＷＬＡＮ信号３２が有効である時（データが存在する時）、かつ、前記送信可否信号６３が「送信不可」を示している時は、内部で前記ＢＴ−ＷＬＡＮ信号３２を保持し、前記送信可否信号６３が「送信可」を示すまで、前記ＢＴ−ＷＬＡＮ信号３２を、前記ＷＬＡＮ送信信号２２として出力することはしない。この時、前記送信動作状態６４は、「キャリアセンス」とされる。前記ＢＴ−ＷＬＡＮ信号３２が有効でない時（データが存在しない時）、前記ＷＬＡＮ送信信号２２は有効ではない。この時、前記送信動作状態６４は、「非送信」とされる。
【００６３】
この通信装置内部の、前記ＢＴ通信部１１では、以下の動作が行われる。
【００６４】
前記ＢＴ受信信号４１は、前記受信フィルタ７２で、Ｂｌｕｅｔｏｏｔｈスロット（１ＭＨｚ幅）の外の非希望波をある程度除去され、前記干渉低減信号８２となる。
【００６５】
この前記干渉低減信号８２は、前記復調部７５で復調処理が施され、前記ＢＴ−ＷＬＡＮ信号３２となる。
【００６６】
一方、前記ＷＬＡＮ−ＢＴ信号３１は、前記送信部７４で処理が施され、前記ＢＴ送信信号４２となる。この前記ＢＴ送信信号４２は、前記送信電力８８の値が変更されない限り、デフォルトの０ｄＢｍで送信される。この際、一般的には、前記ＡＦＨ部７９の働きにより、無線ＬＡＮ帯域（約２５ＭＨｚ幅）の外のスロットが選択される。
【００６７】
なぜなら、前記ＡＦＨ部７９は、一般的なＡＦＨの手法に従い、干渉の少ないスロットを選ぶからである。無線ＬＡＮ帯域は無線ＬＡＮ信号が存在するため、Ｂｌｕｅｔｏｏｔｈの立場から見ると干渉が大きいので、一般的なＡＦＨの手法により避けることが出来る。
【００６８】
また、無線ＬＡＮの信号は、無線ＬＡＮ帯域の外まで漏れ出すため、無線ＬＡＮ帯域の少し外側の帯域まで、ＢｌｕｅｔｏｏｔｈはＡＦＨにより通信を避けるのが一般的である。ここでは、無線ＬＡＮの中心周波数から２５ＭＨｚ程度離れたところまで避けると想定し、無線ＬＡＮの中心周波数から２５ＭＨｚ程度離れたＢｌｕｅｔｏｏｔｈ信号を説明に用いている。
【００６９】
ただし、Ｂｌｕｅｔｏｏｔｈが使用できる周波数も有限（２４０２〜２４８０ＭＨｚ。７８スロット。）であるから、他のスロットの状況次第で、無線ＬＡＮ帯域の中のスロットが選択されることもある。
【００７０】
以上で説明した、従来例の動作を、以下では動作Ａと呼ぶ。
【００７１】
以上、「動作Ａ」では状況に左右されない普遍的な動作を説明した。
【００７２】
以下では特殊な状況下の動作を説明する。
【００７３】
無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域（約２５ＭＨｚ幅）の中心周波数から２５ＭＨｚ離れた周波数に送信されている状況（以下では、この状況を、状況Ｂと呼ぶ）における、従来の通信装置の動作を説明する。
【００７４】
２つの問題に分けて説明する。２つの問題とは、前述の、「（１）『Ｂｌｕｅｔｏｏｔｈ⇒無線ＬＡＮ』干渉問題」、「（２）『無線ＬＡＮ⇒Ｂｌｕｅｔｏｏｔｈ』干渉問題」である。更に、（１）については、「（１）−１  無線ＬＡＮキャリアセンス時の問題」、「（１）−２  無線ＬＡＮ受信時の問題」、「（１）−３  無線ＬＡＮ送信時の問題」に分けて、また、（２）については、「（２）−１  Ｂｌｕｅｔｏｏｔｈ受信時の問題」、「（２）−２  Ｂｌｕｅｔｏｏｔｈ送信時の問題」に分けて説明する。
【００７５】
まず、「（１）『Ｂｌｕｅｔｏｏｔｈ⇒無線ＬＡＮ』干渉問題」の、「（１）−１  無線ＬＡＮキャリアセンス時の問題」について説明する。
【００７６】
従来例の通信装置は、前記ＷＬＡＮ受信信号２１を受信し、内部の前記ＷＬＡＮ通信部１０に取り込む。ただし、この「（１）−１  無線ＬＡＮキャリアセンス時の問題」においては、前記ＷＬＡＮ受信信号２１は、有効な無線ＬＡＮ信号を含んでおらず、干渉成分のみである。
【００７７】
一方、従来例の通信装置内部の前記ＢＴ通信部１１は、前記ＢＴ送信信号４２を、０ｄＢｍの送信電力で送信する。この前記ＢＴ送信信号４２は、送信された時は０ｄＢｍであるが、３０ｃｍの距離を進む間に約３０ｄＢ減衰し、その結果、−３０ｄＢｍの干渉として前記ＷＬＡＮ受信信号２１に含まれる形で、前記ＷＬＡＮ通信部１０に取り込まれる。
【００７８】
前記ＢＴ動作状態４６は、前記送信動作状態８４と、前記復調動作状態８５とからなり、前記送信動作状態８４は「送信」を表す。これは、この通信装置内部の、前記ＢＴ通信部１１の通信状態が、送信状態であることを示している。
【００７９】
前記ＷＬＡＮ受信信号２１は、前記ＷＬＡＮ通信部１０内部の前記受信フィルタ５２で、無線ＬＡＮ帯域（約２５ＭＨｚ幅）の外の非希望波をある程度除去され、前記干渉低減信号６２となる。例えば、中心周波数から２５ＭＨｚ離れた信号は３５ｄＢ減衰する。従って、−３０ｄＢｍの干渉として前記ＷＬＡＮ受信信号２１に含まれた前記ＢＴ送信信号４２由来の信号成分は、更に３５ｄＢ減衰し、−６５ｄＢｍとなり、これが前記干渉低減信号６２の大きさである。
【００８０】
前記キャリアセンス部５３は、前記干渉低減受信信号６２の大きさである−６５ｄＢｍと、信号検出閾値である−７６ｄＢｍと比較し、前記干渉低減受信信号６２が大きいので、信号有と判定し、前記送信可否信号６３として「送信不可」を出力する。
【００８１】
前記送信部５４は、前記送信可否信号６３が「送信不可」だから送信を行うことが出来ない。前記送信動作状態６４は、「キャリアセンス」とされる。
【００８２】
前記復調部５５は、ここでは復調動作を行わないので、前記ＷＬＡＮ−ＢＴ信号３１は有効な信号を含まない。前記復調動作状態６５は、「非受信」とされる。
【００８３】
前記ＷＬＡＮ動作状態２６は、前記送信動作状態６４と、前記復調動作状態６５とからなり、それぞれ、「キャリアセンス」、「非受信」を表す。これは、この通信装置内部の、前記ＷＬＡＮ通信部１０の通信状態が、キャリアセンス状態であることを示している。
【００８４】
以上のように、ＩＥＥＥ８０２．１１は、Ｂｌｕｅｔｏｏｔｈが送信を開始すると、それが帯域外であっても、キャリアセンスで帯域に信号を検出してしまい、Ｂｌｕｅｔｏｏｔｈが送信を終えるまでいつまでも送信できない事態が発生する。
【００８５】
以上の説明は、前記ＢＴ通信部１１が送信する場合の説明を行ったが、前記ＢＴ通信部１１が受信する場合、即ち、前記ＢＴ通信部１１が通信を行っている相手（以下、相手ＢＴ端末）が送信する場合でも同様の問題がある。例えば、前記相手ＢＴ端末が、前記ＷＬＡＮ通信部１０から３０ｃｍ離れたところにある場合は、前記相手ＢＴ端末が送信を開始すると、その信号は、送信された時は０ｄＢｍであるが、３０ｃｍの距離を進む間に約３０ｄＢ減衰し、その結果、−３０ｄＢｍの干渉として前記ＷＬＡＮ受信信号２１に含まれる形で、前記ＷＬＡＮ通信部１０に取り込まれる。すると、上記の説明と全く同じ結果となる。
【００８６】
次に、「（１）『Ｂｌｕｅｔｏｏｔｈ⇒無線ＬＡＮ』干渉問題」の、「（１）−２  無線ＬＡＮ受信時の問題」について説明する。
【００８７】
従来例の通信装置は、前記ＷＬＡＮ受信信号２１を受信し、内部の前記ＷＬＡＮ通信部１０に取り込む。この「（１）−２無線ＬＡＮ受信時の問題」においては、前記ＷＬＡＮ受信信号２１は、干渉成分も含むが、有効な無線ＬＡＮ信号も含む。無線ＬＡＮ端末は一般に１４ｄＢｍで送信する。ここでも無線ＬＡＮ信号は送信側において１４ｄＢｍで送信されたものとする。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、無線ＬＡＮ信号は、−４６ｄＢｍとなる。即ち、ここでは、前記ＷＬＡＮ受信信号２１は、−４６ｄＢｍの無線ＬＡＮ信号を含む。
【００８８】
一方、従来例の通信装置内部の前記ＢＴ通信部１１は、前記ＢＴ送信信号４２を、０ｄＢｍの送信電力で送信する。この前記ＢＴ送信信号４２は、送信された時は０ｄＢｍであるが、３０ｃｍの距離を進む間に約３０ｄＢ減衰し、その結果、−３０ｄＢｍの干渉として前記ＷＬＡＮ受信信号２１に含まれる形で、前記ＷＬＡＮ通信部１０に取り込まれる。
【００８９】
前記ＷＬＡＮ受信信号２１は、前記ＷＬＡＮ通信部１０内部の前記受信フィルタ５２で、無線ＬＡＮ帯域（約２５ＭＨｚ幅）の外の非希望波をある程度除去され、前記干渉低減信号６２となる。例えば、中心周波数から２５ＭＨｚ離れた信号は３５ｄＢ減衰する。従って、−３０ｄＢｍの干渉として前記ＷＬＡＮ受信信号２１に含まれた前記ＢＴ送信信号４２由来の信号成分は、更に３５ｄＢ減衰し、−６５ｄＢｍとなり、これが前記干渉低減信号６２の一部である。無線ＬＡＮ帯域内の信号である、−４６ｄＢｍの無線ＬＡＮ信号はそのまま通過して、前記干渉低減信号６２にそのまま含まれる。
【００９０】
前記復調部５５は、前記干渉低減受信信号６２の復調を行って、前記ＷＬＡＮ−ＢＴ信号３１として出力する。−４６ｄＢｍの希望信号に対し−６５ｄＢｍの非希望信号、即ちＳＩＲ＝１９ｄＢという状況での復調は、やや問題がある（非特許文献１によれば、無線ＬＡＮにおいてはＳＩＲ＝１０ｄＢが、問題なく復調できるぎりぎりのところである）。前記復調動作状態６５は、「受信」とされる。
【００９１】
前記送信部５４は、ここでは送信動作を行わないので、前記ＷＬＡＮ送信信号２２は有効な信号を含まない。前記送信動作状態６４は、「非送信」または「キャリアセンス」とされる。
【００９２】
前記ＷＬＡＮ動作状態２６は、前記送信動作状態６４と、前記復調動作状態６５とからなり、前記復調動作状態６５は「非受信」を表す。これは、この通信装置内部の、前記ＷＬＡＮ通信部１０の通信状態が、受信状態であることを示している。
【００９３】
以上のように、無線ＬＡＮ受信時においては、無線ＬＡＮがＢｌｕｅｔｏｏｔｈから受ける干渉による被害は、小さい。とはいえ、問題が全くないわけではなく、「やや問題がある」という表現を用いた。
【００９４】
なぜなら、上述の−４６ｄＢｍの希望信号に対し−６５ｄＢｍの非希望信号、即ちＳＩＲ＝１９ｄＢという状況での復調も、エラーが起こることもある。
【００９５】
また、非希望信号がもっと大きければ、エラーはもっと起こる。例えば、干渉源が物理的にもっと近ければ、そうなる。非希望信号の周波数が無線ＬＡＮ帯域に周波数軸上もっと近くても、そうなる。干渉源の物理的な距離について言うと、ここでは３０ｃｍとして説明したが、同一装置内に無線ＬＡＮとＢｌｕｅｔｏｏｔｈとを備えるケースとしてＰＣやＶｏＩＰ電話を考えると、もっと近いほうが一般的である。仮に０ｃｍとすると、上述の説明から３０ｄＢの減衰がなくなるので、希望信号が−４６ｄＢｍ、非希望信号が−３５ｄＢｍとなって、復調は困難となる。
【００９６】
また、希望信号がもっと小さければ、エラーはもっと起こる。例えば、希望信号の発信元が物理的にもっと遠ければ、そうなる。希望信号の発信元の出力が小さくても、そうなる。
【００９７】
以上の説明は、前記ＢＴ通信部１１が送信する場合の説明を行ったが、前記ＢＴ通信部１１が受信する場合、即ち、前記ＢＴ通信部１１が通信を行っている相手（以下、相手ＢＴ端末）が送信する場合でも同様の問題がある。例えば、前記相手ＢＴ端末が、前記ＷＬＡＮ通信部１０から３０ｃｍ離れたところにある場合は、前記相手ＢＴ端末が送信を開始すると、その信号は、送信された時は０ｄＢｍであるが、３０ｃｍの距離を進む間に約３０ｄＢ減衰し、その結果、−３０ｄＢｍの干渉として前記ＷＬＡＮ受信信号２１に含まれる形で、前記ＷＬＡＮ通信部１０に取り込まれる。すると、上記の説明と全く同じ結果となる。
【００９８】
次に、「（１）『Ｂｌｕｅｔｏｏｔｈ⇒無線ＬＡＮ』干渉問題」の、「（１）−３  無線ＬＡＮ送信時の問題」について説明する。
【００９９】
従来例の通信装置は、前記ＷＬＡＮ送信信号２２を１４ｄＢｍの送信電力で送信する。また、前記ＢＴ送信信号４２を、０ｄＢｍの送信電力で送信する。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、前記ＷＬＡＮ送信信号２２は、受信側の無線ＬＡＮ端末（以下、受信ＷＬＡＮ端末）で−４６ｄＢｍとなる。また、前記ＢＴ送信信号４２は、前記受信ＷＬＡＮ端末で−６０ｄＢｍとなる。
【０１００】
これら前記ＷＬＡＮ送信信号２２や前記ＢＴ送信信号４２を含めた無線信号は、一般的には、前記受信ＷＬＡＮ端末で、従来例の通信装置同様の処理が行われる。即ち、従来例の通信装置が、前記ＷＬＡＮ通信部１０内部の前記受信フィルタ５２で、前記ＷＬＡＮ受信信号２１を、無線ＬＡＮ帯域（約２５ＭＨｚ幅）の外の非希望波をある程度除去したような処理である。この処理によれば、例えば、中心周波数から２５ＭＨｚ離れた信号は３５ｄＢ減衰する。従って、−６０ｄＢｍの干渉として前記ＷＬＡＮ受信信号２１に含まれた前記ＢＴ送信信号４２由来の信号成分は、更に３５ｄＢ減衰し、−９５ｄＢｍとなる。無線ＬＡＮ帯域内の信号である、−４６ｄＢｍの無線ＬＡＮ信号はそのまま通過する。
【０１０１】
従って、前記受信ＷＬＡＮ端末では、−４６ｄＢｍの希望信号に対し−９５ｄＢｍの非希望信号、即ちＳＩＲ＝４９ｄＢとなる。この状況での復調は、わずかに問題がある（非特許文献１によれば、無線ＬＡＮにおいてはＳＩＲ＝１０ｄＢが、問題なく復調できるぎりぎりのところである）。
【０１０２】
以上のように、無線ＬＡＮ送信時においては、無線ＬＡＮがＢｌｕｅｔｏｏｔｈから受ける干渉による被害は、小さい。「やや問題がある」という表現を用いた（１）−２無線ＬＡＮ受信時と比較しても、ＳＩＲが改善しており更に問題は小さい。とはいえ、問題が全くないわけではなく、「わずかに問題がある」という表現を用いた。
【０１０３】
なぜなら、上述の−４６ｄＢｍの希望信号に対し−９５ｄＢｍの非希望信号、即ちＳＩＲ＝４９ｄＢという状況での復調も、エラーが起こることもある。
【０１０４】
また、非希望信号がもっと大きければ、エラーはもっと起こる。例えば、干渉源が物理的にもっと近ければ、そうなる。非希望信号の周波数が無線ＬＡＮ帯域に周波数軸上もっと近くても、そうなる。
【０１０５】
また、希望信号がもっと小さければ、エラーはもっと起こる。例えば、希望信号の発信元が物理的にもっと遠ければ、そうなる。希望信号の発信元の出力が小さくても、そうなる。
【０１０６】
以上の説明は、前記ＢＴ通信部１１が送信する場合の説明を行ったが、前記ＢＴ通信部１１が受信する場合、即ち、前記ＢＴ通信部１１が通信を行っている相手（以下、相手ＢＴ端末）が送信する場合でも同様の問題がある。例えば、前記相手ＢＴ端末が、前記受信ＷＬＡＮ端末から１０ｍ離れたところにある場合は、前記相手ＢＴ端末が送信を開始すると、その信号は、送信された時は０ｄＢｍであるが、１０ｍの距離を進む間に約６０ｄＢ減衰し、その結果、−６０ｄＢｍの干渉として前記受信ＷＬＡＮ端末に取り込まれる。すると、上記の説明と全く同じ結果となる。
【０１０７】
次に、「（２）『無線ＬＡＮ⇒Ｂｌｕｅｔｏｏｔｈ』干渉問題」の、「（２）−１  Ｂｌｕｅｔｏｏｔｈ受信時の問題」について説明する。
【０１０８】
従来例の通信装置は、前記ＢＴ受信信号４１を受信し、内部の前記ＢＴ通信部１１に取り込む。Ｂｌｕｅｔｏｏｔｈ端末は一般に０ｄＢｍで送信する。ここでもＢｌｕｅｔｏｏｔｈ信号は送信側において０ｄＢｍで送信されたものとする。Ｂｌｕｅｔｏｏｔｈ端末同士は、一般に、数十ｃｍ〜数ｍの距離で使用される。ここでは１ｍの距離があるものとする。１ｍの距離を進む間に約４０ｄＢ減衰する。その結果、Ｂｌｕｅｔｏｏｔｈ信号は、−４０ｄＢｍとなる。即ち、ここでは、前記ＢＴ受信信号４１は、−４０ｄＢｍのＢｌｕｅｔｏｏｔｈ信号を含む。
【０１０９】
一方、従来例の通信装置内部の前記ＷＬＡＮ通信部１０は、前記ＷＬＡＮ送信信号２２を、１４ｄＢｍの送信電力で送信する。この信号は、帯域が約２５ＭＨｚだから、１ＭＨｚあたりに換算すると、０ｄＢｍ／ＭＨｚである。無線ＬＡＮ信号は、中心周波数から２５ＭＨｚ離れたところでは、３０ｄＢ減衰（非特許文献２）し、−３０ｄＢｍ／ＭＨｚとなる。即ち、前記ＢＴ受信信号４１に含まれるＢｌｕｅｔｏｏｔｈ信号のスロット（１ＭＨｚ幅）部分の無線ＬＡＮ信号電力は、−３０ｄＢｍである。ここでは、３０ｃｍの距離を進む間に約３０ｄＢ減衰し、その結果、−６０ｄＢｍ／ＭＨｚの干渉として前記ＢＴ受信信号４１に含まれる形で、前記ＢＴ通信部１１に取り込まれる。
【０１１０】
前記ＢＴ受信信号４１は、前記ＢＴ通信部１１内部の前記受信フィルタ７２で、Ｂｌｕｅｔｏｏｔｈスロット（１ＭＨｚ幅）の外の非希望波をある程度除去され、前記干渉低減信号８２となる。ここでは、スロット外の非希望波は完全に除去されるものとする。すると、残る非希望波はＢｌｕｅｔｏｏｔｈスロット（１ＭＨｚ幅）内のものとなる。これは、上述のとおり、−６０ｄＢｍである。
【０１１１】
前記復調部７５は、前記干渉低減受信信号８２の復調を行って、前記ＢＴ−ＷＬＡＮ信号３２として出力する。−４０ｄＢｍの希望信号に対し−６０ｄＢｍの非希望信号、即ちＳＩＲ＝２０ｄＢという状況での復調は、一般的に、問題なく復調できるぎりぎりのところであり（非特許文献１）、エラーが頻繁に起こると考えられる。やや問題があると言える。
【０１１２】
また、非希望信号がもっと大きければ、エラーはもっと起こる。例えば、干渉源が物理的にもっと近ければ、そうなる。非希望信号の周波数が無線ＬＡＮ帯域に周波数軸上もっと近くても、そうなる。干渉源の物理的な距離について言うと、ここでは３０ｃｍとして説明したが、同一装置内に無線ＬＡＮとＢｌｕｅｔｏｏｔｈとを備えるケースとしてＰＣやＶｏＩＰ電話を考えると、もっと近いほうが一般的である。仮に０ｃｍとすると、上述の説明から３０ｄＢの減衰がなくなるので、希望信号が−４０ｄＢｍ、非希望信号が−３０ｄＢｍとなって、復調は困難となる。
【０１１３】
また、希望信号がもっと小さければ、エラーはもっと起こる。例えば、希望信号の発信元が物理的にもっと遠ければ、そうなる。希望信号の発信元の出力が小さくても、そうなる。
【０１１４】
以上の説明は、前記ＷＬＡＮ通信部１０が送信する場合の説明を行ったが、前記ＷＬＡＮ通信部１０が受信する場合、即ち、前記ＷＬＡＮ通信部１０が通信を行っている相手（以下、相手ＷＬＡＮ端末）が送信する場合でも同様の問題がある。例えば、前記相手ＷＬＡＮ端末が、前記ＢＴ通信部１１から３０ｃｍ離れたところにある場合は、前記相手ＷＬＡＮ端末が送信を開始すると、その信号は、送信された時は、中心周波数から２５ＭＨｚ離れたところで−３０ｄＢｍ／ＭＨｚである（中心で１４ｄＢｍ、０ｄＢｍ／ＭＨｚ）が、３０ｃｍの距離を進む間に約３０ｄＢ減衰し、その結果、−６０ｄＢｍ／ＭＨｚの干渉として前記ＢＴ受信信号４１に含まれる形で、前記ＢＴ通信部１１に取り込まれる。すると、上記の説明と全く同じ結果となる。
【０１１５】
次に、「（２）『無線ＬＡＮ⇒Ｂｌｕｅｔｏｏｔｈ』干渉問題」の、「（２）−２  Ｂｌｕｅｔｏｏｔｈ送信時の問題」について説明する。
【０１１６】
従来例の通信装置は、前記ＢＴ送信信号４２を、０ｄＢｍの送信電力で送信する。Ｂｌｕｅｔｏｏｔｈ端末同士は、一般に、数十ｃｍ〜数ｍの距離で使用される。ここでは１ｍの距離があるものとする。１ｍの距離を進む間に約４０ｄＢ減衰する。その結果、前記ＢＴ送信信号４２は、受信側のＢｌｕｅｔｏｏｔｈ端末（以下、受信ＢＴ端末）で−４０ｄＢｍとなる。
【０１１７】
一方、従来例の通信装置内部の前記ＷＬＡＮ通信部１０は、前記ＷＬＡＮ送信信号２２を、１４ｄＢｍの送信電力で送信する。この信号は、帯域が約２５ＭＨｚだから、１ＭＨｚあたりに換算すると、０ｄＢｍ／ＭＨｚである。無線ＬＡＮ信号は、中心周波数から２５ＭＨｚ離れたところでは、３０ｄＢ減衰（非特許文献２）し、−３０ｄＢｍ／ＭＨｚとなる。即ち、前記ＢＴ受信信号４１に含まれるＢｌｕｅｔｏｏｔｈ信号のスロット（１ＭＨｚ幅）部分の無線ＬＡＮ信号電力は、−３０ｄＢｍである。ここでは、１ｍの距離を進む間に約４０ｄＢ減衰し、その結果、−７０ｄＢｍ／ＭＨｚの干渉として前記受信ＢＴ端末に取り込まれる。
【０１１８】
これら前記ＷＬＡＮ送信信号２２や前記ＢＴ送信信号４２を含めた無線信号は、一般的には、前記受信ＢＴ端末で、従来例の通信装置同様の処理が行われる。即ち、従来例の通信装置が、前記ＢＴ通信部１１内部の前記受信フィルタ７２で、前記ＢＴ受信信号４１を、Ｂｌｕｅｔｏｏｔｈスロット（１ＭＨｚ幅）の外の非希望波をある程度除去したような処理である。この処理により、ここでは、スロット外の非希望波は完全に除去されるものとする。すると、残る非希望波はＢｌｕｅｔｏｏｔｈスロット（１ＭＨｚ幅）内のものとなる。これは、上述のとおり、−７０ｄＢｍである。
【０１１９】
従って、前記受信ＢＴ端末では、−４０ｄＢｍの希望信号に対し−７０ｄＢｍの非希望信号、即ちＳＩＲ＝３０ｄＢとなる。この状況での復調は、わずかに問題がある（非特許文献１によれば、ＢｌｕｅｔｏｏｔｈにおいてはＳＩＲ＝２０ｄＢが、問題なく復調できるぎりぎりのところである）。
【０１２０】
以上のように、Ｂｌｕｅｔｏｏｔｈ送信時においては、Ｂｌｕｅｔｏｏｔｈが無線ＬＡＮから受ける干渉による被害は、小さい。「やや問題がある」という表現を用いた（２）−１Ｂｌｕｅｔｏｏｔｈ受信時と比較しても、ＳＩＲが改善しており更に問題は小さい。とはいえ、問題が全くないわけではなく、「わずかに問題がある」という表現を用いた。
【０１２１】
なぜなら、上述の−４０ｄＢｍの希望信号に対し−７０ｄＢｍの非希望信号、即ちＳＩＲ＝３０ｄＢという状況での復調も、エラーが起こることもある。
【０１２２】
また、非希望信号がもっと大きければ、エラーはもっと起こる。例えば、干渉源が物理的にもっと近ければ、そうなる。非希望信号の周波数が無線ＬＡＮ帯域に周波数軸上もっと近くても、そうなる。
【０１２３】
また、希望信号がもっと小さければ、エラーはもっと起こる。例えば、希望信号の発信元が物理的にもっと遠ければ、そうなる。希望信号の発信元の出力が小さくても、そうなる。
【０１２４】
以上の説明は、前記ＷＬＡＮ通信部１０が送信する場合の説明を行ったが、前記ＷＬＡＮ通信部１０が受信する場合、即ち、前記ＷＬＡＮ通信部１０が通信を行っている相手（以下、相手ＷＬＡＮ端末）が送信する場合でも同様の問題がある。例えば、前記相手ＷＬＡＮ端末が、前記受信ＢＴ端末から１ｍ離れたところにある場合は、前記相手ＷＬＡＮ端末が送信を開始すると、その信号は、送信された時は１４ｄＢｍであるが、１ｍの距離を進む間に約４０ｄＢ減衰し、上記の説明と全く同じ結果となる。
【０１２５】
以上、（１）、（２）のように、同一または近隣の周波数帯を使用する通信同士による干渉によって、性能劣化が発生する。
【０１２６】
特に、同一装置内に無線ＬＡＮとＢｌｕｅｔｏｏｔｈとが存在する状況下において性能劣化が大きい。
【０１２７】
このような性能劣化を抑えることを可能とする通信装置が求められている。
【非特許文献１】ＩＥＥＥ  Ｓｔｄ  ８０２．１５．２ＴＭ−２００３  Ｃｏｅｘｉｓｔｅｎｃｅ  ｏｆ  Ｗｉｒｅｌｅｓｓ  Ｐｅｒｓｏｎａｌ  Ａｒｅａ  Ｎｅｔｗｏｒｋｓ  ｗｉｔｈ  Ｏｔｈｅｒ  Ｗｉｒｅｌｅｓｓ  Ｄｅｖｉｃｅｓ  Ｏｐｅｒａｔｉｎｇ  ｉｎ  Ｕｎｌｉｃｅｎｓｅｄ  Ｆｒｅｑｕｅｎｃｙ  Ｂａｎｄｓ
【非特許文献２】ＩＥＥＥ  Ｗｉｒｅｌｅｓｓ  ＬＡＮ  Ｅｄｉｔｉｏｎ  Ａ  ｃｏｍｐｉｌａｔｉｏｎ  ｂａｓｅｄ  ｏｎ  ＩＥＥＥ  Ｓｔｄ  ８０２．１１ＴＭ−１９９９  （Ｒ２００３）  ａｎｄ  ｉｔｓ  ａｍｅｎｄｍｅｎｔｓ  Ｓｔａｎｄａｒｄｓ  Ｉｎｆｏｒｍａｔｉｏｎ  Ｎｅｔｗｏｒｋ  ＩＥＥＥ  Ｐｒｅｓｓ
【特許文献１】特許第３４４３０９４号公報
【特許文献２】特許第３７７０５８６号公報
【発明の開示】
【発明が解決しようとする課題】
【０１２８】
以上のように同一または近隣の周波数帯を使用する通信同士による干渉が引き起こす性能劣化を抑えつつ通信を行うことを可能とする通信装置が求められている。
【０１２９】
本発明はこの課題の解決を目的とする。
【課題を解決するための手段】
【０１３０】
本発明の通信装置は、それぞれ送受信機能を有する複数の通信部と、前記通信部を監視し制御する監視制御部とを備える通信装置であって、前記監視制御部は、前記複数の通信部のうち、ある通信部（以下、第１の通信部とする）の動作内容をモニタして、前記モニタした動作内容に応じて、別の通信部（以下、第２の通信部とする）の送受信条件を調整するものである。
【０１３１】
このように構成することで、被干渉源もしくは干渉源がある通信動作時に干渉を受けたり与えたりする状況において、与える干渉もしくは受ける干渉を除去した送受信を実行可能である。
【発明の効果】
【０１３２】
本発明によれば、同一または近隣の周波数帯を使用する通信同士による干渉が引き起こす性能劣化を抑えつつ通信を行うことが可能となる。
【発明を実施するための最良の形態】
【０１３３】
以下、図面を参照しながら発明の実施の形態を説明する。
【０１３４】
（実施の形態１）
図１は、本発明の実施の形態１における通信装置の構成を示すものである。
【０１３５】
前記ＷＬＡＮ受信信号２１、前記ＷＬＡＮ送信信号２２、前記ＷＬＡＮ−ＢＴ信号３１、前記ＢＴ−ＷＬＡＮ信号３２、前記ＢＴ受信信号４１、前記ＢＴ送信信号４２は、従来例における説明のとおりである。
【０１３６】
前記ＷＬＡＮチャンネル番号２５、前記ＷＬＡＮ動作状態２６、前記ＢＴスロット番号４５、前記ＢＴ送信オフセット４８も、基本的には従来例における説明のとおりであるが、従来例においては重要な信号ではなかったためトップ図面（図７）に表されていなかったが、この通信装置においては重要であるためトップ図面（図１）に表されている点が異なる。
【０１３７】
１０（ａ）は、ＷＬＡＮ通信部である。前記ＷＬＡＮ受信信号２１と、前記ＢＴ−ＷＬＡＮ信号３２とを入力し、前記ＷＬＡＮ送信信号２２と、前記ＷＬＡＮ−ＢＴ信号３１と、前記ＷＬＡＮチャンネル番号２５と、前記ＷＬＡＮ動作状態２６を出力する。
【０１３８】
１１（ａ）は、ＢＴ通信部である。前記ＢＴ受信信号４１と、前記ＷＬＡＮ−ＢＴ信号３１と、前記ＢＴ送信オフセット４８とを入力し、前記ＢＴ送信信号４２と、前記ＢＴ−ＷＬＡＮ信号３３と、前記ＢＴスロット番号４５とを出力する。
【０１３９】
１２（ａ）は、監視制御部である。前記ＷＬＡＮチャンネル番号２５と、前記ＷＬＡＮ動作状態２６と、前記ＢＴスロット番号４５とを入力し、前記ＢＴ送信オフセット４８を出力する。前記ＷＬＡＮ動作状態２６が「非通信」を表していれば、前記ＢＴ送信オフセット４８を、「０」とする。前記ＷＬＡＮ動作状態２６が「送信」を表していれば、前記ＢＴ送信オフセット４８を、「−５ｄＢ〜０」とする。前記ＷＬＡＮ動作状態２６が「受信」を表していれば、前記ＢＴ送信オフセット４８を、「−１０ｄＢ〜０」とする。前記ＷＬＡＮ動作状態２６が「キャリアセンス」を表していれば、前記ＢＴ送信オフセット４８を、「−１２ｄＢ〜０」とする。前記ＷＬＡＮチャンネル番号２５が示す周波数と、前記ＢＴスロット番号４５が示す周波数との差が小さい時オフセットの絶対値を大きく、差が大きい時オフセットの絶対値を小さくする。差は最小で２５ＭＨｚと想定し、その時がオフセットの絶対値が最大になる時とし、念のため差が０〜２５ＭＨｚまでオフセットの絶対値として最大値を設定し、差が２５ＭＨｚ〜５０ＭＨｚまでオフセットの絶対値として最大値から０まで徐々に下げるものとした。表３（ａ）にまとめた。
【０１４０】
【表３】
2008235978.tif 000005
【０１４１】
以下では、前記ＷＬＡＮ通信部１０（ａ）、前記ＢＴ通信部１１（ａ）、前記監視制御部１２（ａ）の添え字を外し、前記ＷＬＡＮ通信部１０、前記ＢＴ通信部１１、前記監視制御部１２と表す。
【０１４２】
従来例で使用した図５は、本発明の実施の形態１における通信装置内部の前記ＷＬＡＮ通信部１０の構成を示すものでもある。
【０１４３】
従来例で使用した図６は、本発明の実施の形態１における通信装置内部の前記ＢＴ通信部１１の構成を示すものでもある。
【０１４４】
このように構成された、本発明の実施の形態１における通信装置の動作を説明する。
【０１４５】
この通信装置は、状況に左右されない普遍的な動作としては、前述の「動作Ａ」と全く同じ動作を行う。
【０１４６】
以下、前述の状況Ｂでの動作を説明する。
【０１４７】
前述のとおり、状況Ｂとは、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域（約２５ＭＨｚ幅）の中心周波数から２５ＭＨｚ離れた周波数に送信されている状況である。
【０１４８】
この通信装置は、「（１）『Ｂｌｕｅｔｏｏｔｈ⇒無線ＬＡＮ』干渉問題」において効果を発揮するため、その状況での動作を説明する。
【０１４９】
まず、「（１）−１  無線ＬＡＮキャリアセンス時の問題」について説明する。
【０１５０】
従来例での（１）−１の説明のとおり、この（１）−１においては、前記ＷＬＡＮ受信信号２１は、有効な無線ＬＡＮ信号を含んでおらず、干渉成分のみである。
【０１５１】
当初、前記ＢＴ通信部１１は、前記ＢＴ送信信号４２を、デフォルトの０ｄＢｍの送信電力で送信すると、従来例での（１）−１の説明のとおり、前記干渉低減受信信号６２は−６５ｄＢｍとなる。
【０１５２】
前記キャリアセンス部５３は、前記干渉低減受信信号６２の大きさである−６５ｄＢｍと、信号検出閾値である−７６ｄＢｍと比較し、前記干渉低減受信信号６２が大きいので、信号有と判定し、前記送信可否信号６３として「送信不可」を出力する。
【０１５３】
前記送信部５４は、前記送信可否信号６３が「送信不可」だから送信を行うことが出来ない。前記送信動作状態６４は、「キャリアセンス」とされる。
【０１５４】
前記復調部５５は、ここでは復調動作を行わないので、前記ＷＬＡＮ−ＢＴ信号３１は有効な信号を含まない。前記復調動作状態６５は、「非受信」とされる。
【０１５５】
前記ＷＬＡＮ動作状態２６は、前記送信動作状態６４と、前記復調動作状態６５とからなり、それぞれ、「キャリアセンス」、「非受信」を表す。これは、この通信装置内部の、前記ＷＬＡＮ通信部１０の通信状態が、キャリアセンス状態であることを示している。
【０１５６】
ここまでの動作は、従来例での（１）−１の説明のとおりであるが、ここからが異なる。
【０１５７】
この通信装置内部の、前記監視制御部１２は、表３（ａ）に従って、前記ＢＴ送信オフセット４８として、「−１２ｄＢ」を出力する。
【０１５８】
それを受け、この通信装置内部の、前記ＢＴ通信部１１では、前記ＢＴ送信信号４２は、当初より１２ｄＢ小さい−１２ｄＢｍとなる。
【０１５９】
すると、当初−６５ｄＢｍであった前記干渉低減受信信号６２の大きさは、１２ｄＢ小さい−７７ｄＢｍとなる。なぜなら、前記受信フィルタ５２の特性（例えば、中心周波数から２５ＭＨｚ離れた信号は３５ｄＢ減衰する）は、信号の大きさが変わっても同じであるからである。
【０１６０】
そうすると、前記キャリアセンス部５３は、前記干渉低減受信信号６２の大きさである−７７ｄＢｍと、信号検出閾値である−７６ｄＢｍと比較し、前記干渉低減受信信号６２が小さいので、信号無と判定し、前記送信可否信号６３として「送信可」を出力する。
【０１６１】
その結果、前記送信部５４は、送信を行うことが出来る。
【０１６２】
以上のように、この通信装置においては、従来例と異なり、ＩＥＥＥ８０２．１１は、Ｂｌｕｅｔｏｏｔｈが送信していても、キャリアセンスで帯域に信号を検出することなく、送信できる。
【０１６３】
以上のように、この通信装置は従来の課題解決が可能である。
【０１６４】
以上の説明は、前記ＢＴ通信部１１が送信する場合の説明を行ったが、前記ＢＴ通信部１１が受信する場合、即ち、前記ＢＴ通信部１１が通信を行っている相手（以下、相手ＢＴ端末）が送信する場合でも同様の問題がある。例えば、前記相手ＢＴ端末が、前記ＷＬＡＮ通信部１０から３０ｃｍ離れたところにある場合は、前記相手ＢＴ端末が送信を開始すると、その信号は、送信された時は０ｄＢｍであるが、３０ｃｍの距離を進む間に約３０ｄＢ減衰し、その結果、−３０ｄＢｍの干渉として前記ＷＬＡＮ受信信号２１に含まれる形で、前記ＷＬＡＮ通信部１０に取り込まれる。すると、上記の説明と全く同じ結果となる。
【０１６５】
このような場合でも、工夫を加えるだけで課題解決が可能である。その工夫とは、前記ＢＴ通信部１１の前記送信部７４は、前記送信電力８８をデータ化して前記ＢＴ送信信号４２として出力するものとし、前記相手ＢＴ端末は、受信したデータに基づいて送信電力を決定するものとすることである。このようにすれば、前記ＢＴ通信部１１が送信する場合に前記ＢＴ通信部１１が送信電力を切り替えることで従来の課題解決が可能であるのと同様、前記相手ＢＴ端末が送信する場合に前記相手ＢＴ端末が送信電力を切り替えることで従来の課題解決が可能である。
【０１６６】
次に、「（１）−２  無線ＬＡＮ受信時の問題」について説明する。
【０１６７】
従来例での（１）−２の説明のとおり、この（１）−２においては、前記ＷＬＡＮ受信信号２１は、干渉成分も含むが、有効な無線ＬＡＮ信号も含む。従来例の（１）−２同様送信側において１４ｄＢｍで送信されたものとし、１０ｍの距離があるものとすると、従来例の（１）−２同様−４６ｄＢｍとなる。
【０１６８】
一方、この通信装置内部の前記ＢＴ通信部１１は、当初、前記ＢＴ送信信号４２を、デフォルトの０ｄＢｍの送信電力で送信すると、この前記ＢＴ送信信号４２は、送信された時は０ｄＢｍであるが、３０ｃｍの距離を進む間に約３０ｄＢ減衰し、その結果、−３０ｄＢｍの干渉として前記ＷＬＡＮ受信信号２１に含まれる形で、前記ＷＬＡＮ通信部１０に取り込まれる。これも従来例の（１）−２同様である。
【０１６９】
以降、従来例（１）−２同様の処理を受ければ、結局、前記復調部５５では、−４６ｄＢｍの希望信号に対し−６５ｄＢｍの非希望信号、即ちＳＩＲ＝１９ｄＢという状況となり、従来例（１）−２同様やや問題ありとなる。前記復調動作状態６５は、「受信」とされる。
【０１７０】
前記送信部５４は、ここでは送信動作を行わないので、前記ＷＬＡＮ送信信号２２は有効な信号を含まない。前記送信動作状態６４は、「非送信」または「キャリアセンス」とされる。
【０１７１】
前記ＷＬＡＮ動作状態２６は、前記送信動作状態６４と、前記復調動作状態６５とからなり、前記復調動作状態６５は「非受信」を表す。これは、この通信装置内部の、前記ＷＬＡＮ通信部１０の通信状態が、受信状態であることを示している。
【０１７２】
ここまでの動作は、従来例での（１）−２の説明のとおりであるが、ここからが異なる。
【０１７３】
この通信装置内部の、前記監視制御部１２は、表３（ａ）に従って、前記ＢＴ送信オフセット４８として、「−１０ｄＢ」を出力する。
【０１７４】
それを受け、この通信装置内部の、前記ＢＴ通信部１１では、前記ＢＴ送信信号４２は、当初より１０ｄＢ小さい−１０ｄＢｍとなる。
【０１７５】
すると、当初−６５ｄＢｍであった前記干渉低減受信信号６２の非希望信号成分の大きさは、１０ｄＢ小さい−７５ｄＢｍとなる。なぜなら、前記受信フィルタ５２の特性（例えば、中心周波数から２５ＭＨｚ離れた信号は３５ｄＢ減衰する）は、信号の大きさが変わっても同じであるからである。
【０１７６】
そうすると、前記復調部５５では、−４６ｄＢｍの希望信号に対し−７５ｄＢｍの非希望信号、即ちＳＩＲ＝２９ｄＢという状況となり、従来例（１）−２に比べＳＩＲが１０ｄＢ改善する。
【０１７７】
以上の結果、この通信装置においては、従来例と異なり、ＩＥＥＥ８０２．１１は、Ｂｌｕｅｔｏｏｔｈが送信していても、良好な復調動作が可能である。
【０１７８】
以上のように、この通信装置は従来の課題解決が可能である。
【０１７９】
以上の説明は、前記ＢＴ通信部１１が送信する場合の説明を行ったが、前記ＢＴ通信部１１が受信する場合、即ち、前記ＢＴ通信部１１が通信を行っている相手（以下、相手ＢＴ端末）が送信する場合でも同様の問題がある。例えば、前記相手ＢＴ端末が、前記ＷＬＡＮ通信部１０から３０ｃｍ離れたところにある場合は、前記相手ＢＴ端末が送信を開始すると、その信号は、送信された時は０ｄＢｍであるが、３０ｃｍの距離を進む間に約３０ｄＢ減衰し、その結果、−３０ｄＢｍの干渉として前記ＷＬＡＮ受信信号２１に含まれる形で、前記ＷＬＡＮ通信部１０に取り込まれる。すると、上記の説明と全く同じ結果となる。
【０１８０】
このような場合でも、工夫を加えるだけで課題解決が可能である。その工夫とは、前記ＢＴ通信部１１の前記送信部７４は、前記送信電力８８をデータ化して前記ＢＴ送信信号４２として出力するものとし、前記相手ＢＴ端末は、受信したデータに基づいて送信電力を決定するものとすることである。このようにすれば、前記ＢＴ通信部１１が送信する場合に前記ＢＴ通信部１１が送信電力を切り替えることで従来の課題解決が可能であるのと同様、前記相手ＢＴ端末が送信する場合に前記相手ＢＴ端末が送信電力を切り替えることで従来の課題解決が可能である。
【０１８１】
次に、「（１）−３  無線ＬＡＮ送信時の問題」について説明する。
【０１８２】
従来例での（１）−３の説明のとおり、前記ＷＬＡＮ送信信号２２を１４ｄＢｍの送信電力で送信し、また、前記ＢＴ送信信号４２を、当初デフォルトの０ｄＢｍの送信電力で送信するとする。従来例の（１）−３同様１０ｍの距離があるものとする。
【０１８３】
従来例（１）−３同様の処理が進めば、結局、この通信装置の通信相手となる受信側の無線ＬＡＮ端末（以下、受信ＷＬＡＮ端末）での復調処理において、−４６ｄＢｍの希望信号に対し−９５ｄＢｍの非希望信号、即ちＳＩＲ＝４９ｄＢという状況となり、従来例（１）−３同様わずかに問題ありとなる。
【０１８４】
ここまでの動作は、従来例での（１）−３の説明のとおりであるが、ここからが異なる。
【０１８５】
この通信装置内部の、前記監視制御部１２は、表３（ａ）に従って、前記ＢＴ送信オフセット４８として、「−５ｄＢ」を出力する。
【０１８６】
それを受け、この通信装置内部の、前記ＢＴ通信部１１では、前記ＢＴ送信信号４２は、当初より５ｄＢ小さい−５ｄＢｍとなる。
【０１８７】
すると、当初−９５ｄＢｍであった、前記受信ＷＬＡＮ端末での復調処理における非希望信号は、５ｄＢ小さい−１００ｄＢｍとなる。
【０１８８】
そうすると、前記受信ＷＬＡＮ端末での復調処理においては、−４６ｄＢｍの希望信号に対し−１００ｄＢｍの非希望信号、即ちＳＩＲ＝５４ｄＢという状況となり、従来例（１）−３に比べＳＩＲが５ｄＢ改善する。
【０１８９】
以上の結果、この通信装置においては、従来例と異なり、ＩＥＥＥ８０２．１１は、Ｂｌｕｅｔｏｏｔｈが送信していても、通信相手にとって良質な送信が可能である。
【０１９０】
以上のように、この通信装置は従来の課題解決が可能である。
【０１９１】
以上の説明は、前記ＢＴ通信部１１が送信する場合の説明を行ったが、前記ＢＴ通信部１１が受信する場合、即ち、前記ＢＴ通信部１１が通信を行っている相手（以下、相手ＢＴ端末）が送信する場合でも同様の問題がある。例えば、前記相手ＢＴ端末が、前記受信ＷＬＡＮ端末から１０ｍ離れたところにある場合は、前記相手ＢＴ端末が送信を開始すると、その信号は、送信された時は０ｄＢｍであるが、１０ｍの距離を進む間に約６０ｄＢ減衰し、その結果、−６０ｄＢｍの干渉として前記受信ＷＬＡＮ端末に取り込まれる。すると、上記の説明と全く同じ結果となる。
【０１９２】
このような場合でも、工夫を加えるだけで課題解決が可能である。その工夫とは、前記ＢＴ通信部１１の前記送信部７４は、前記送信電力８８をデータ化して前記ＢＴ送信信号４２として出力するものとし、前記相手ＢＴ端末は、受信したデータに基づいて送信電力を決定するものとすることである。このようにすれば、前記ＢＴ通信部１１が送信する場合に前記ＢＴ通信部１１が送信電力を切り替えることで従来の課題解決が可能であるのと同様、前記相手ＢＴ端末が送信する場合に前記相手ＢＴ端末が送信電力を切り替えることで従来の課題解決が可能である。
【０１９３】
以上のように、本発明の実施の形態１における通信装置は、それぞれ送受信機能を有する複数の通信部と、前記通信部を監視し制御する監視制御部とを備える通信装置であって、前記監視制御部は、前記複数の通信部のうち、ある通信部（以下、第１の通信部とする）の動作内容をモニタして、前記モニタした動作内容に応じて、別の通信部（以下、第２の通信部とする）の送受信条件を調整するものである。
【０１９４】
このように構成することで、被干渉源もしくは干渉源がある通信動作時に干渉を受けたり与えたりする状況において、与える干渉もしくは受ける干渉を除去した送受信を実行可能である。
【０１９５】
ここでは、通信装置内に通信部を二つ持つ構成としたが、そうでなくてもよい。複数持ってもよい。複数のうちの、二つ以上の通信部の動作内容をモニタして、送受信条件を調整してもよい。また、モニタした動作内容に応じて、二つ以上の通信部の送受信条件を調整してもよい。
【０１９６】
ここでは、通信装置内に無線ＬＡＮによる通信部と、Ｂｌｕｅｔｏｏｔｈによる通信部とを持つ構成としたが、そうでなくてもよい。両方無線ＬＡＮでもよい。両方Ｂｌｕｅｔｏｏｔｈでもよい。全く別の方式でもよい。同一または近隣の周波数帯を使用する通信同士であれば、与える干渉もしくは受ける干渉を除去可能である。
【０１９７】
ここでは、前記ＷＬＡＮ受信信号２１として受けたデータに、処理を加えて前記ＷＬＡＮ−ＢＴ信号３１とし、更に処理を加えて前記ＢＴ送信信号４２とした。また、前記ＢＴ受信信号４１として受けたデータに、処理を加えて前記ＢＴ−ＷＬＡＮ信号３２とし、更に処理を加えて前記ＷＬＡＮ送信信号２２とした。つまり、無線ＬＡＮの信号として受けたデータをＢｌｕｅｔｏｏｔｈの信号として送出し、Ｂｌｕｅｔｏｏｔｈの信号として受けたデータを無線ＬＡＮの信号として送出した。だが、そうでなくてもよい。例えば、無線ＬＡＮの信号として受けたデータと、Ｂｌｕｅｔｏｏｔｈの信号として受けたデータとを独立に処理し、保存したり、別の経路から外部に出したり、一部のみを互いに受け渡したりしてもよい。
【０１９８】
ここでは、送受信条件の調整として、具体的には、送信条件の調整を行った。また、送信条件の調整として、具体的には、他に与える干渉を下げるよう調節することとした。だが、そうでなくてもよい。例えば、他から受ける干渉を下げるよう調整することとしてもよい。そのために、例えば、送信電力を下げる代わりに上げることにより他から受ける干渉を下げるよう調整する方法が考えられる。また、キャリアセンスにおける信号検出がされにくい方向に調整することで他から受ける干渉を下げるよう調整する方法が考えられる。これにより干渉が大きくとも信号検出されることなく、送信を実行可能となる。
【０１９９】
また、第２の通信部（前記ＢＴ通信部１１）の送受信条件を調整する代わりに、第２の通信部の、通信相手の送受信条件を調整しても効果がある。第２の通信部の送受信条件を調整した上で、第２の通信部の、通信相手の送受信条件を調整すると、効果が大きい。第２の通信部の、通信相手の送受信条件を調整するために、第２の通信部に、送受信条件をデータ化して送信させてもよい。
【０２００】
また、本発明の実施の形態１における通信装置は、前記監視制御部は、前記モニタした動作内容（被干渉源の動作内容）が、ある通信動作を示す時、第２の通信部の送信条件を、他に与える干渉を下げるよう調節することを特徴とするものである。
【０２０１】
このように構成することで、被干渉源がある通信動作時に干渉を受ける状況において、与える干渉を除去した送信を実行可能である。
【０２０２】
ここでは、前記モニタした動作内容（被干渉源の動作内容）を、非通信、送信、受信、キャリアセンスの場合に分けた。だが、そうでなくてもよい。例えば、非通信とそれ以外でわけ、一律、非通信は送信電力をデフォルトで、非通信以外は送信電力をデフォルトから１２ｄＢダウンで、といった設定でもよい。そのようにすることで、被干渉源が非通信以外のとき、与える干渉を下げることが可能となる。あるいは、「非通信または送信」と、それ以外でわけ、一律、「非通信または送信」は送信電力をデフォルトで、それ以外は送信電力をデフォルトから１２ｄＢダウンで、といった設定でもよい。そのようにすることで、被干渉源が「非通信または送信」以外のとき、与える干渉を下げることが可能となる。（１）−２と（１）−３を比較すればわかるとおり、被干渉源は「送信」のとき「受信」の時より干渉に強い傾向にあるので、この方法は効果が大きいと言える。干渉の影響が小さいのであれば、送信電力は大きい方がノイズに強くなるからである。また、そもそも被干渉源がキャリアセンス多重アクセスを採用していない場合は、「キャリアセンス」という場合分けはなく、例えば、非通信、送信、受信、といった場合分けが考えられる。例えば被干渉源がＢｌｕｅｔｏｏｔｈを採用していればそのようになる。また、そもそも被干渉源が送信しか行わない場合や、受信しか行わない場合は、それぞれ、送信、や、受信、という場合分けはなく、例えば、非通信、送信、といった場合分けや、非通信、受信、といった場合分けが考えられる。
【０２０３】
また、ここでは、送信電力を下げるよう調節することで、他に与える干渉を下げるよう調節した。だが、そうでなくてもよい。例えば、アンテナの向きを調節することで、他に与える干渉を下げるよう調節してもよい。
【０２０４】
また、本発明の実施の形態１における通信装置は、前記監視制御部は、送信電力を下げるよう調節することで、他に与える干渉を下げるよう調節することを特徴とするものである。
【０２０５】
このように構成することで、アンテナの向きを調節するなどハードウェア規模が大きくなるような手法に頼ることなく、他に与える干渉を下げるよう調節することが可能である。
【０２０６】
ここではオフセットをデシベル値で与えるように構成したが、そうでなくてもよい。オフセットでなく送信電力値を与えてもよい。デシベル値でなくボルト、ミリボルト、ワット、あるいは全く新しい単位であってもよい。
【０２０７】
また、ここでは、前記第１の通信部が使用する周波数チャンネルと、前記第２の通信部が使用する周波数チャンネルとが近いほど、送信電力を下げるよう調節することとしたが、そうでなくてもよい。例えば、周波数とは無関係に、通信種類だけで、送信電力を決定してもよい。こうすると、周波数の関係によっては、送信電力は少し下がり干渉は少し減るが効果が足りないケースや、送信電力は大きく下がり干渉は大きく減るがもう少し送信電力が大きくても十分干渉は小さいケースなどが発生することが考えられるが、それでも、干渉が減るという効果はあり、また、簡単な処理で実現可能という新たな効果もある。
【０２０８】
また、本発明の実施の形態１における通信装置は、前記監視制御部は、前記モニタした動作内容（被干渉源の動作内容）が、ある通信動作を示す時、別の通信動作を示す時に比べ、より、送信電力を下げるよう調節することを特徴とするものである。
【０２０９】
このように構成することで、被干渉源の動作の種類によって与える干渉の大きさが異なることに対応し、きめ細かく与える干渉を除去した送信を実行可能である。
【０２１０】
ここでは、非通信、送信、受信、キャリアセンス、の順に、徐々に送信電力を小さくすることとした。これは、非通信、送信、受信、キャリアセンス、の順に、徐々に干渉から受けるダメージが大きいことに対応したものである。だが、そうでなくてもよい。例えば、非通信、「送信または受信」、キャリアセンス、などと分けてもよい。そうしても、きめ細かい干渉除去といえる。また、別の干渉除去と組み合わせた結果、送信電力を小さくすべき順番が変わることもある。例えば、キャリアセンスにだけ効果がある別の干渉除去と組み合わせ、送信電力については、非通信、送信、キャリアセンス、受信、の順に、徐々に小さくすることとしてもよい。
【０２１１】
また、本発明の実施の形態１における通信装置は、前記監視制御部は、前記モニタした動作内容（被干渉源の動作内容）が、受信動作を示す時、送信動作を示す時に比べ、より、送信電力を下げるよう調節することを特徴とするものである。
【０２１２】
このように構成することで、被干渉源の動作の種類によって与える干渉の大きさが異なることに対応し、きめ細かく与える干渉を除去した送信を実行可能である。
【０２１３】
即ち、被干渉源は、受信動作を行う場合、送信動作を行う場合に比べて、より大きな干渉を受ける。そのように、与える干渉の大きさが異なることに対応し、きめ細かく与える干渉を除去した送信を実行可能である。
【０２１４】
ここでは、送信の時最大５ｄＢ、受信の時最大１０ｄＢ、デフォルトから下げることとした。だが、そうでなくてもよい。例えば、送信の時デフォルトのまま、受信の時５ｄＢ下げることとしてもよい。
【０２１５】
また、本発明の実施の形態１における通信装置は、前記監視制御部は、前記モニタした動作内容（被干渉源の動作内容）が、キャリアセンス動作を示す時、受信動作を示す時に比べ、より、送信電力を下げるよう調節することを特徴とするものである。
【０２１６】
このように構成することで、被干渉源の動作の種類によって与える干渉の大きさが異なることに対応し、きめ細かく与える干渉を除去した送信を実行可能である。
【０２１７】
即ち、被干渉源は、キャリアセンスを行う場合、受信動作を行う場合に比べて、より大きな干渉を受ける。そのように、与える干渉の大きさが異なることに対応し、きめ細かく与える干渉を除去した送信を実行可能である。
【０２１８】
ここでは、受信の時最大１０ｄＢ、キャリアセンスの時最大１２ｄＢ、デフォルトから下げることとした。だが、そうでなくてもよい。例えば、受信の時デフォルトのまま、キャリアセンスの時５ｄＢ下げることとしてもよい。
【０２１９】
また、本発明の実施の形態１における通信装置は、前記監視制御部は、前記モニタした動作内容（被干渉源の動作内容）が、キャリアセンス動作を示す時、送信動作を示す時に比べ、より、送信電力を下げるよう調節することを特徴とするものである。
【０２２０】
このように構成することで、被干渉源の動作の種類によって与える干渉の大きさが異なることに対応し、きめ細かく与える干渉を除去した送信を実行可能である。
【０２２１】
即ち、被干渉源は、キャリアセンスを行う場合、送信動作を行う場合に比べて、より大きな干渉を受ける。そのように、与える干渉の大きさが異なることに対応し、きめ細かく与える干渉を除去した送信を実行可能である。
【０２２２】
ここでは、送信の時最大５ｄＢ、キャリアセンスの時最大１２ｄＢ、デフォルトから下げることとした。だが、そうでなくてもよい。例えば、送信の時デフォルトのまま、キャリアセンスの時５ｄＢ下げることとしてもよい。
【０２２３】
また、本発明の実施の形態１における通信装置は、前記監視制御部は、前記通信部が使用する周波数チャンネルを監視し、前記第１の通信部が使用する周波数チャンネルと、前記第２の通信部が使用する周波数チャンネルとの周波数差に応じて送受信条件を調整することを特徴とするものである。
【０２２４】
このように構成することで、被干渉源と干渉源との周波数の近さによって干渉の大きさが異なることに対応し、きめ細かく干渉を除去した送受信を実行可能である。
【０２２５】
ここでは、差は最小で２５ＭＨｚと想定し、その時がオフセットの絶対値が最大になる時とし、念のため差が０〜２５ＭＨｚまでオフセットの絶対値として最大値を設定し、差が２５ＭＨｚ〜５０ＭＨｚまでオフセットの絶対値として最大値から０まで徐々に下げるものとした。だが、そうでなくてもよい。差が０まで存在することを想定し、差が０の時オフセットの絶対値が最大になるよう設定してもよい。また、「２５ＭＨｚ」の代わりに１０ＭＨｚであっても４０ＭＨｚであっても、「５０ＭＨｚ」の代わりに４０ＭＨｚであっても１００ＭＨｚであっても、構わない。
【０２２６】
（実施の形態２）
図２は、本発明の実施の形態２における通信装置の構成を示すものである。
【０２２７】
前記ＷＬＡＮ受信信号２１、前記ＷＬＡＮ送信信号２２、前記ＷＬＡＮチャンネル２５、前記ＷＬＡＮ−ＢＴ信号３１、前記ＢＴ−ＷＬＡＮ信号３２、前記ＢＴ受信信号４１、前記ＢＴ送信信号４２、前記ＢＴスロット４５は、本発明の実施の形態１における説明のとおりである。
【０２２８】
前記ＢＴ動作状態４６、前記ＷＬＡＮ送信オフセット２８も、基本的には本発明の実施の形態１における説明のとおりであるが、本発明の実施の形態１においては重要な信号ではなかったためトップ図面（図１）に表されていなかったが、この通信装置においては重要であるためトップ図面（図２）に表されている点が異なる。
【０２２９】
一方、前記ＷＬＡＮ動作状態２６、前記ＢＴ送信オフセット４８も、基本的には本発明の実施の形態１における説明のとおりであるが、この通信装置においては重要な信号ではないためトップ図面（図２）に表していない。
【０２３０】
１０（ｂ）は、ＷＬＡＮ通信部である。前記ＷＬＡＮ受信信号２１と、前記ＷＬＡＮ送信オフセット２８と、前記ＢＴ−ＷＬＡＮ信号３２とを入力し、前記ＷＬＡＮ送信信号２２と、前記ＷＬＡＮ−ＢＴ信号３１と、前記ＷＬＡＮチャンネル番号２５とを出力する。
【０２３１】
１１（ｂ）は、ＢＴ通信部である。前記ＢＴ受信信号４１と、前記ＷＬＡＮ−ＢＴ信号３１とを入力し、前記ＢＴ送信信号４２と、前記ＢＴ−ＷＬＡＮ信号３３と、前記ＢＴスロット番号４５と、前記ＢＴ動作状態４６とを出力する。
【０２３２】
１２（ｂ）は、監視制御部である。前記ＷＬＡＮチャンネル番号２５と、前記ＢＴ動作状態４６と、前記ＢＴスロット番号４５とを入力し、前記ＷＬＡＮ送信オフセット２８を出力する。前記ＢＴ動作状態４６が「非通信」を表していれば、前記ＷＬＡＮ送信オフセット２８を、「０」とする。前記ＢＴ動作状態４６が「送信」を表していれば、前記ＷＬＡＮ送信オフセット２８を、「−５ｄＢ〜０」とする。前記ＢＴ動作状態４６が「受信」を表していれば、前記ＷＬＡＮ送信オフセット２８を、「−１０ｄＢ〜０」とする。前記ＷＬＡＮチャンネル番号２５が示す周波数と、前記ＢＴスロット番号４５が示す周波数との差が小さい時オフセットの絶対値を大きく、差が大きい時オフセットの絶対値を小さくする。差は最小で２５ＭＨｚと想定し、その時がオフセットの絶対値が最大になる時とし、念のため差が０〜２５ＭＨｚまでオフセットの絶対値として最大値を設定し、差が２５ＭＨｚ〜５０ＭＨｚまでオフセットの絶対値として最大値から０まで徐々に下げるものとした。表３（ｂ）にまとめた。
【０２３３】
以下では、前記ＷＬＡＮ通信部１０（ｂ）、前記ＢＴ通信部１１（ｂ）、前記監視制御部１２（ｂ）の添え字を外し、前記ＷＬＡＮ通信部１０、前記ＢＴ通信部１１、前記監視制御部１２と表す。
【０２３４】
従来例、及び、本発明の実施の形態１で使用した図５は、本発明の実施の形態２における通信装置内部の前記ＷＬＡＮ通信部１０の構成を示すものでもある。
【０２３５】
従来例、及び、本発明の実施の形態１で使用した図６は、本発明の実施の形態２における通信装置内部の前記ＢＴ通信部１１の構成を示すものでもある。
【０２３６】
このように構成された、本発明の実施の形態２における通信装置の動作を説明する。
【０２３７】
この通信装置は、状況に左右されない普遍的な動作としては、前述の「動作Ａ」と全く同じ動作を行う。
【０２３８】
以下、前述の状況Ｂでの動作を説明する。
【０２３９】
前述のとおり、状況Ｂとは、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域（約２５ＭＨｚ幅）の中心周波数から２５ＭＨｚ離れた周波数に送信されている状況である。
【０２４０】
この通信装置は、「（２）『無線ＬＡＮ⇒Ｂｌｕｅｔｏｏｔｈ』干渉問題」において効果を発揮するため、その状況での動作を説明する。
【０２４１】
次に、「（２）−１  Ｂｌｕｅｔｏｏｔｈ受信時の問題」について説明する。
【０２４２】
従来例での（２）−１の説明のとおり、この（２）−１においては、前記ＢＴ受信信号４１は、干渉成分も含むが、有効なＢｌｕｅｔｏｏｔｈ信号も含む。従来例の（２）−１同様送信側において０ｄＢｍで送信されたものとし、１ｍの距離があるものとすると、従来例の（２）−１同様−４０ｄＢｍとなって前記受信フィルタ７２を通過して前記干渉低減信号８２の一部として前記復調部７５へ取り込まれる。
【０２４３】
一方、この通信装置内部の前記ＷＬＡＮ通信部１０は、当初、前記ＷＬＡＮ送信信号２２を、デフォルトの１４ｄＢｍの送信電力で送信すると、従来例の（２）−１記載のとおり、Ｂｌｕｅｔｏｏｔｈ信号のスロット（１ＭＨｚ幅）部分の無線ＬＡＮ信号電力は、−３０ｄＢｍであって、３０ｃｍの距離を進む間に約３０ｄＢ減衰し、その結果、−６０ｄＢｍの干渉として前記干渉低減信号８２の一部として前記復調部７５へ取り込まれる。
【０２４４】
これも従来例の（２）−１同様である。
【０２４５】
結局、前記復調部７５では、−４０ｄＢｍの希望信号に対し−６０ｄＢｍの非希望信号、即ちＳＩＲ＝２０ｄＢという状況となり、従来例（２）−１同様やや問題ありとなる。前記復調動作状態８５は、「受信」とされる。
【０２４６】
前記送信部７４は、ここでは送信動作を行わないので、前記ＢＴ送信信号４２は有効な信号を含まない。前記送信動作状態８４は、「非送信」とされる。
【０２４７】
前記ＢＴ動作状態４６は、前記送信動作状態８４と、前記復調動作状態８５とからなり、前記復調動作状態８５は「受信」を表す。これは、この通信装置内部の、前記ＢＴ通信部１１の通信状態が、受信状態であることを示している。
【０２４８】
ここまでの動作は、従来例での（２）−１の説明のとおりであるが、ここからが異なる。
【０２４９】
この通信装置内部の、前記監視制御部１２は、表３（ｂ）に従って、前記ＷＬＡＮ送信オフセット２８として、「−１０ｄＢ」を出力する。
【０２５０】
それを受け、この通信装置内部の、前記ＷＬＡＮ通信部１０では、前記ＷＬＡＮ送信信号２２は、当初より１０ｄＢ小さい４ｄＢｍとなる。
【０２５１】
すると、当初−６０ｄＢｍであった前記干渉低減受信信号８２の非希望信号成分の大きさは、１０ｄＢ小さい−７０ｄＢｍとなる。なぜなら、前記受信フィルタ７２の特性（ここでは、スロット外の非希望波は完全に除去されるものとする）は、信号の大きさが変わっても同じであるからである。
【０２５２】
そうすると、前記復調部７５では、−４０ｄＢｍの希望信号に対し−７０ｄＢｍの非希望信号、即ちＳＩＲ＝３０ｄＢという状況となり、従来例（２）−１に比べＳＩＲが１０ｄＢ改善する。
【０２５３】
以上の結果、この通信装置においては、従来例と異なり、Ｂｌｕｅｔｏｏｔｈは、ＩＥＥＥ８０２．１１が送信していても、良好な復調動作が可能である。
【０２５４】
以上のように、この通信装置は従来の課題解決が可能である。
【０２５５】
以上の説明は、前記ＷＬＡＮ通信部１０が送信する場合の説明を行ったが、前記ＷＬＡＮ通信部１０が受信する場合、即ち、前記ＷＬＡＮ通信部１０が通信を行っている相手（以下、相手ＷＬＡＮ端末）が送信する場合でも同様の問題がある。例えば、前記相手ＷＬＡＮ端末が、前記ＢＴ通信部１１から３０ｃｍ離れたところにある場合は、前記相手ＷＬＡＮ端末が送信を開始すると、その信号は、送信された時は、中心周波数から２５ＭＨｚ離れたところで−３０ｄＢｍ／ＭＨｚである（中心で１４ｄＢｍ、０ｄＢｍ／ＭＨｚ）が、３０ｃｍの距離を進む間に約３０ｄＢ減衰し、その結果、−６０ｄＢｍ／ＭＨｚの干渉として前記ＢＴ受信信号４１に含まれる形で、前記ＢＴ通信部１１に取り込まれる。すると、上記の説明と全く同じ結果となる。
【０２５６】
このような場合でも、工夫を加えるだけで課題解決が可能である。その工夫とは、前記ＷＬＡＮ通信部１０の前記送信部５４は、前記送信電力６８をデータ化して前記ＷＬＡＮ送信信号２２として出力するものとし、前記相手ＷＬＡＮ端末は、受信したデータに基づいて送信電力を決定するものとすることである。このようにすれば、前記ＷＬＡＮ通信部１０が送信する場合に前記ＷＬＡＮ通信部１０が送信電力を切り替えることで従来の課題解決が可能であるのと同様、前記相手ＷＬＡＮ端末が送信する場合に前記相手ＷＬＡＮ端末が送信電力を切り替えることで従来の課題解決が可能である。
【０２５７】
次に、「（２）−２Ｂｌｕｅｔｏｏｔｈ送信時の問題」について説明する。
【０２５８】
従来例での（２）−２の説明のとおり、前記ＷＬＡＮ送信信号２２を、当初デフォルトの１４ｄＢｍの送信電力で送信し、また、前記ＢＴ送信信号４２を０ｄＢｍの送信電力で送信するとする。従来例の（２）−２同様１ｍの距離があるものとする。
【０２５９】
従来例（２）−２同様の処理が進めば、結局、この通信装置の通信相手となる受信側のＢｌｕｅｔｏｏｔｈ端末（以下、受信ＢＴ端末）での復調処理において、−４０ｄＢｍの希望信号に対し−７０ｄＢｍの非希望信号、即ちＳＩＲ＝３０ｄＢとなり、従来例（２）−２同様わずかに問題ありとなる。
【０２６０】
ここまでの動作は、従来例での（２）−２の説明のとおりであるが、ここからが異なる。
【０２６１】
この通信装置内部の、前記監視制御部１２は、表３（ｂ）に従って、前記ＷＬＡＮ送信オフセット２８として、「−５ｄＢ」を出力する。
【０２６２】
それを受け、この通信装置内部の、前記ＷＬＡＮ通信部１０では、前記ＷＬＡＮ送信信号２２は、当初より５ｄＢ小さい９ｄＢｍとなる。
【０２６３】
すると、当初−７０ｄＢｍであった前記受信ＢＴ端末での復調処理における非希望信号成分の大きさは、５ｄＢ小さい−７５ｄＢｍとなる。
【０２６４】
そうすると、前記受信ＢＴ端末での復調処理では、−４０ｄＢｍの希望信号に対し−７５ｄＢｍの非希望信号、即ちＳＩＲ＝３５ｄＢという状況となり、従来例（２）−２に比べＳＩＲが５ｄＢ改善する。
【０２６５】
以上のように、この通信装置においては、従来例と異なり、Ｂｌｕｅｔｏｏｔｈは、ＩＥＥＥ８０２．１１が送信していても、通信相手にとって良質な送信が可能である。
【０２６６】
以上のように、この通信装置は従来の課題解決が可能である。
【０２６７】
以上の説明は、前記ＷＬＡＮ通信部１０が送信する場合の説明を行ったが、前記ＷＬＡＮ通信部１０が受信する場合、即ち、前記ＷＬＡＮ通信部１０が通信を行っている相手（以下、相手ＷＬＡＮ端末）が送信する場合でも同様の問題がある。例えば、前記相手ＷＬＡＮ端末が、前記受信ＢＴ端末から１ｍ離れたところにある場合は、前記相手ＷＬＡＮ端末が送信を開始すると、その信号は、送信された時は１４ｄＢｍであるが、１ｍの距離を進む間に約４０ｄＢ減衰し、上記の説明と全く同じ結果となる。
【０２６８】
このような場合でも、工夫を加えるだけで課題解決が可能である。その工夫とは、前記ＷＬＡＮ通信部１０の前記送信部５４は、前記送信電力６８をデータ化して前記ＷＬＡＮ送信信号２２として出力するものとし、前記相手ＷＬＡＮ端末は、受信したデータに基づいて送信電力を決定するものとすることである。このようにすれば、前記ＷＬＡＮ通信部１０が送信する場合に前記ＷＬＡＮ通信部１０が送信電力を切り替えることで従来の課題解決が可能であるのと同様、前記相手ＷＬＡＮ端末が送信する場合に前記相手ＷＬＡＮ端末が送信電力を切り替えることで従来の課題解決が可能である。
【０２６９】
以上のように、本発明の実施の形態２における通信装置は、第１の発明の通信装置であって、それぞれ送受信機能を有する複数の通信部と、前記通信部を監視し制御する監視制御部とを備える通信装置であって、前記監視制御部は、前記複数の通信部のうち、ある通信部（以下、第１の通信部とする）の動作内容をモニタして、前記モニタした動作内容に応じて、別の通信部（以下、第２の通信部とする）の送受信条件を調整するものである。
【０２７０】
このように構成することで、被干渉源もしくは干渉源がある通信動作時に干渉を受けたり与えたりする状況において、与える干渉もしくは受ける干渉を除去した送受信を実行可能である。
【０２７１】
ここでは、通信装置内に通信部を二つ持つ構成としたが、そうでなくてもよい。複数持ってもよい。複数のうちの、二つ以上の通信部の動作内容をモニタして、送受信条件を調整してもよい。また、モニタした動作内容に応じて、二つ以上の通信部の送受信条件を調整してもよい。
【０２７２】
ここでは、通信装置内に無線ＬＡＮによる通信部と、Ｂｌｕｅｔｏｏｔｈによる通信部とを持つ構成としたが、そうでなくてもよい。両方無線ＬＡＮでもよい。両方Ｂｌｕｅｔｏｏｔｈでもよい。全く別の方式でもよい。同一または近隣の周波数帯を使用する通信同士であれば、与える干渉もしくは受ける干渉を除去可能である。
【０２７３】
ここでは、前記ＷＬＡＮ受信信号２１として受けたデータに、処理を加えて前記ＷＬＡＮ−ＢＴ信号３１とし、更に処理を加えて前記ＢＴ送信信号４２とした。また、前記ＢＴ受信信号４１として受けたデータに、処理を加えて前記ＢＴ−ＷＬＡＮ信号３２とし、更に処理を加えて前記ＷＬＡＮ送信信号２２とした。つまり、無線ＬＡＮの信号として受けたデータをＢｌｕｅｔｏｏｔｈの信号として送出し、Ｂｌｕｅｔｏｏｔｈの信号として受けたデータを無線ＬＡＮの信号として送出した。だが、そうでなくてもよい。例えば、無線ＬＡＮの信号として受けたデータと、Ｂｌｕｅｔｏｏｔｈの信号として受けたデータとを独立に処理し、保存したり、別の経路から外部に出したり、一部のみを互いに受け渡したりしてもよい。
【０２７４】
ここでは、送受信条件の調整として、具体的には、送信条件の調整を行った。また、送信条件の調整として、具体的には、他に与える干渉を下げるよう調節することとした。だが、そうでなくてもよい。例えば、他から受ける干渉を下げるよう調整することとしてもよい。そのために、例えば、送信電力を下げる代わりに上げることにより他から受ける干渉を下げるよう調整する方法が考えられる。また、キャリアセンスにおける信号検出がされにくい方向に調整することで他から受ける干渉を下げるよう調整する方法が考えられる。これにより干渉が大きくとも信号検出されることなく、送信を実行可能となる。
【０２７５】
また、第２の通信部（前記ＢＴ通信部１１）の送受信条件を調整する代わりに、第２の通信部の、通信相手の送受信条件を調整しても効果がある。第２の通信部の送受信条件を調整した上で、第２の通信部の、通信相手の送受信条件を調整すると、効果が大きい。第２の通信部の、通信相手の送受信条件を調整するために、第２の通信部に、送受信条件をデータ化して送信させてもよい。
【０２７６】
また、本発明の実施の形態２における通信装置は、前記監視制御部は、前記モニタした動作内容（被干渉源の動作内容）が、ある通信動作を示す時、第２の通信部の送信条件を、他に与える干渉を下げるよう調節することを特徴とするものである。
【０２７７】
このように構成することで、被干渉源がある通信動作時に干渉を受ける状況において、与える干渉を除去した送信を実行可能である。
【０２７８】
ここでは、前記モニタした動作内容（被干渉源の動作内容）を、非通信、送信、受信の場合に分けた。だが、そうでなくてもよい。例えば、非通信とそれ以外でわけ、一律、非通信は送信電力をデフォルトで、非通信以外は送信電力をデフォルトから１０ｄＢダウンで、といった設定でもよい。そのようにすることで、被干渉源が非通信以外のとき、与える干渉を下げることが可能となる。あるいは、「非通信または送信」と、受信でわけ、一律、「非通信または送信」は送信電力をデフォルトで、受信は送信電力をデフォルトから１０ｄＢダウンで、といった設定でもよい。そのようにすることで、被干渉源が受信のとき、与える干渉を下げることが可能となる。（２）−１と（２）−２を比較すればわかるとおり、被干渉源は「送信」のとき「受信」の時より干渉に強い傾向にあるので、この方法は効果が大きいと言える。干渉の影響が小さいのであれば、送信電力は大きい方がノイズに強くなるからである。また、そもそも被干渉源が送信しか行わない場合や、受信しか行わない場合は、それぞれ、送信、や、受信、という場合分けはなく、例えば、非通信、送信、といった場合分けや、非通信、受信、といった場合分けが考えられる。また、被干渉源がキャリアセンス多重アクセスを採用している場合は、例えば、非通信、送信、受信、キャリアセンス、といった場合分けが考えられる。例えば被干渉源が無線ＬＡＮを採用していればそのようになる。
【０２７９】
また、ここでは、送信電力を下げるよう調節することで、他に与える干渉を下げるよう調節した。だが、そうでなくてもよい。例えば、アンテナの向きを調節することで、他に与える干渉を下げるよう調節してもよい。
【０２８０】
また、本発明の実施の形態２における通信装置は、前記監視制御部は、送信電力を下げるよう調節することで、他に与える干渉を下げるよう調節することを特徴とするものである。
【０２８１】
このように構成することで、アンテナの向きを調節するなどハードウェア規模が大きくなるような手法に頼ることなく、他に与える干渉を下げるよう調節することが可能である。
【０２８２】
ここではオフセットをデシベル値で与えるように構成したが、そうでなくてもよい。オフセットでなく送信電力値を与えてもよい。デシベル値でなくボルト、ミリボルト、ワット、あるいは全く新しい単位であってもよい。
【０２８３】
また、ここでは、前記第１の通信部が使用する周波数チャンネルと、前記第２の通信部が使用する周波数チャンネルとが近いほど、送信電力を下げるよう調節することとしたが、そうでなくてもよい。例えば、周波数とは無関係に、通信種類だけで、送信電力を決定してもよい。こうすると、周波数の関係によっては、送信電力は少し下がり干渉は少し減るが効果が足りないケースや、送信電力は大きく下がり干渉は大きく減るがもう少し送信電力が大きくても十分干渉は小さいケースなどが発生することが考えられるが、それでも、干渉が減るという効果はあり、また、簡単な処理で実現可能という新たな効果もある。
【０２８４】
また、本発明の実施の形態２における通信装置は、前記監視制御部は、前記モニタした動作内容（被干渉源の動作内容）が、ある通信動作を示す時、別の通信動作を示す時に比べ、より、送信電力を下げるよう調節することを特徴とするものである。
【０２８５】
このように構成することで、被干渉源の動作の種類によって与える干渉の大きさが異なることに対応し、きめ細かく与える干渉を除去した送信を実行可能である。
【０２８６】
ここでは、非通信、送信、受信、の順に、徐々に送信電力を小さくすることとした。これは、非通信、送信、受信、の順に、徐々に干渉から受けるダメージが大きいことに対応したものである。だが、そうでなくてもよい。例えば、「非通信または送信」、受信、などと分けてもよい。そうしても、きめ細かい干渉除去といえる。また、別の干渉除去と組み合わせた結果、送信電力を小さくすべき順番が変わることもある。例えば、受信にだけ効果がある別の干渉除去と組み合わせ、送信電力については、非通信、受信、送信、の順に、徐々に小さくすることとしてもよい。
【０２８７】
また、本発明の実施の形態２における通信装置は、前記監視制御部は、前記モニタした動作内容（被干渉源の動作内容）が、受信動作を示す時、送信動作を示す時に比べ、より、送信電力を下げるよう調節することを特徴とするものである。
【０２８８】
このように構成することで、被干渉源の動作の種類によって与える干渉の大きさが異なることに対応し、きめ細かく与える干渉を除去した送信を実行可能である。
【０２８９】
即ち、被干渉源は、受信動作を行う場合、送信動作を行う場合に比べて、より大きな干渉を受ける。そのように、与える干渉の大きさが異なることに対応し、きめ細かく与える干渉を除去した送信を実行可能である。
【０２９０】
ここでは、送信の時最大５ｄＢ、受信の時最大１０ｄＢ、デフォルトから下げることとした。だが、そうでなくてもよい。例えば、送信の時デフォルトのまま、受信の時５ｄＢ下げることとしてもよい。
【０２９１】
また、本発明の実施の形態２における通信装置は、前記監視制御部は、前記通信部が使用する周波数チャンネルを監視し、前記第１の通信部が使用する周波数チャンネルと、前記第２の通信部が使用する周波数チャンネルとの周波数差に応じて送受信条件を調整することを特徴とするものである。
【０２９２】
このように構成することで、被干渉源と干渉源との周波数の近さによって干渉の大きさが異なることに対応し、きめ細かく干渉を除去した送受信を実行可能である。
【０２９３】
ここでは、差は最小で２５ＭＨｚと想定し、その時がオフセットの絶対値が最大になる時とし、念のため差が０〜２５ＭＨｚまでオフセットの絶対値として最大値を設定し、差が２５ＭＨｚ〜５０ＭＨｚまでオフセットの絶対値として最大値から０まで徐々に下げるものとした。だが、そうでなくてもよい。差が０まで存在することを想定し、差が０の時オフセットの絶対値が最大になるよう設定してもよい。また、「２５ＭＨｚ」の代わりに１０ＭＨｚであっても４０ＭＨｚであっても、「５０ＭＨｚ」の代わりに４０ＭＨｚであっても１００ＭＨｚであっても、構わない。
【０２９４】
（実施の形態３）
図３は、本発明の実施の形態３における通信装置の構成を示すものである。
【０２９５】
前記ＷＬＡＮ受信信号２１、前記ＷＬＡＮ送信信号２２、前記ＷＬＡＮチャンネル２５、前記ＷＬＡＮ−ＢＴ信号３１、前記ＢＴ−ＷＬＡＮ信号３２、前記ＢＴ受信信号４１、前記ＢＴ送信信号４２、前記ＢＴスロット４５、前記ＢＴ動作状態４６、前記ＷＬＡＮ通信部１１（ｂ）は、本発明の実施の形態２における説明のとおりである。
【０２９６】
前記ＷＬＡＮキャリアセンスオフセット２７も、基本的には本発明の実施の形態２における説明のとおりであるが、本発明の実施の形態２においては重要な信号ではなかったためトップ図面（図２）に表されていなかったが、この通信装置においては重要であるためトップ図面（図３）に表されている点が異なる。
【０２９７】
一方、前記ＷＬＡＮ送信オフセット２８も、基本的には本発明の実施の形態２における説明のとおりであるが、この通信装置においては重要な信号ではないためトップ図面（図３）に表していない。
【０２９８】
１０（ｃ）は、ＷＬＡＮ通信部である。前記ＷＬＡＮ受信信号２１と、前記ＷＬＡＮキャリアセンスオフセット２７と、前記ＢＴ−ＷＬＡＮ信号３２とを入力し、前記ＷＬＡＮ送信信号２２と、前記ＷＬＡＮ−ＢＴ信号３１と、前記ＷＬＡＮチャンネル番号２５とを出力する。
【０２９９】
１２（ｃ）は、監視制御部である。前記ＷＬＡＮチャンネル番号２５と、前記ＢＴ動作状態４６と、前記ＢＴスロット番号４５とを入力し、前記ＷＬＡＮキャリアセンスオフセット２７を出力する。前記ＢＴ動作状態４６が「非通信」を表していれば、前記ＷＬＡＮキャリアセンスオフセット２７を、「０」とする。前記ＢＴ動作状態４６が「送信」を表していれば、前記ＷＬＡＮキャリアセンスオフセット２７を、「６ｄＢ〜０」とする。前記ＢＴ動作状態４６が「受信」を表していれば、前記ＷＬＡＮキャリアセンスオフセット２７を、「１２ｄＢ〜０」とする。前記ＷＬＡＮチャンネル番号２５が示す周波数と、前記ＢＴスロット番号４５が示す周波数との差が小さい時オフセットの絶対値を大きく、差が大きい時オフセットの絶対値を小さくする。差は最小で２５ＭＨｚと想定し、その時がオフセットの絶対値が最大になる時とし、念のため差が０〜２５ＭＨｚまでオフセットの絶対値として最大値を設定し、差が２５ＭＨｚ〜５０ＭＨｚまでオフセットの絶対値として最大値から０まで徐々に下げるものとした。表３（ｃ）にまとめた。
【０３００】
以下では、前記ＷＬＡＮ通信部１０（ｃ）、前記ＢＴ通信部１１（ｂ）、前記監視制御部１２（ｃ）の添え字を外し、前記ＷＬＡＮ通信部１０、前記ＢＴ通信部１１、前記監視制御部１２と表す。
【０３０１】
従来例、及び、本発明の実施の形態１、及び、本発明の実施の形態２で使用した図５は、本発明の実施の形態３における通信装置内部の前記ＷＬＡＮ通信部１０の構成を示すものでもある。
【０３０２】
従来例、及び、本発明の実施の形態１、及び、本発明の実施の形態２で使用した図６は、本発明の実施の形態３における通信装置内部の前記ＢＴ通信部１１の構成を示すものでもある。
【０３０３】
このように構成された、本発明の実施の形態３における通信装置の動作を説明する。
【０３０４】
この通信装置は、状況に左右されない普遍的な動作としては、前述の「動作Ａ」と全く同じ動作を行う。
【０３０５】
以下、前述の状況Ｂでの動作を説明する。
【０３０６】
前述のとおり、状況Ｂとは、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域（約２５ＭＨｚ幅）の中心周波数から２５ＭＨｚ離れた周波数に送信されている状況である。
【０３０７】
この通信装置は、「（１）『Ｂｌｕｅｔｏｏｔｈ⇒無線ＬＡＮ』干渉問題」の、「（１）−１  無線ＬＡＮキャリアセンス時の問題」において効果を発揮するため、その状況での動作を説明する。
【０３０８】
従来例での（１）−１の説明のとおり、この（１）−１においては、前記ＷＬＡＮ受信信号２１は、有効な無線ＬＡＮ信号を含んでおらず、干渉成分のみである。
【０３０９】
前記ＢＴ通信部１１は、前記ＢＴ送信信号４２を、デフォルトの０ｄＢｍの送信電力で送信すると、従来例での（１）−１の説明のとおり、前記干渉低減受信信号６２は−６５ｄＢｍとなる。
【０３１０】
前記ＢＴ動作状態４６は、前記送信動作状態８４と、前記復調動作状態８５とからなり、前記送信動作状態８４は「送信」を表す。これは、この通信装置内部の、前記ＢＴ通信部１１の通信状態が、送信状態であることを示している。
【０３１１】
前記ＷＬＡＮ通信部１０において、前記キャリアセンス部５３は、前記干渉低減受信信号６２の大きさである−６５ｄＢｍと、信号検出閾値である−７６ｄＢｍと比較し、前記干渉低減受信信号６２が大きいので、信号有と判定し、前記送信可否信号６３として「送信不可」を出力する。
【０３１２】
前記送信部５４は、前記送信可否信号６３が「送信不可」だから送信を行うことが出来ない。
【０３１３】
ここまでの動作は、従来例での（１）−１の説明のとおりであるが、ここからが異なる。
【０３１４】
この通信装置内部の、前記監視制御部１２は、表３（ｃ）に従って、前記ＷＬＡＮキャリアセンスオフセット２７として、「１２ｄＢ」を出力する。
【０３１５】
それを受け、この通信装置内部の、前記ＷＬＡＮ通信部１０では、前記ＷＬＡＮキャリアセンスオフセット２７が「１２ｄＢ」となり、前記キャリアセンス閾値６７は、当初より１２ｄＢ大きい−６４ｄＢｍとなる。
【０３１６】
すると、当初前記干渉低減受信信号６２（−６５ｄＢｍ）は前記キャリアセンス閾値６７（当初−７６ｄＢｍ）より小さかったが、この時は大きくなって、その結果、前記キャリアセンス部５３は、信号無と判定し、前記送信可否信号６３として「送信可」を出力する。
【０３１７】
前記送信部５４は、前記送信可否信号６３が「送信可」だから送信を行うことが出来る。
【０３１８】
以上のように、この通信装置においては、従来例と異なり、ＩＥＥＥ８０２．１１は、Ｂｌｕｅｔｏｏｔｈが送信していても、キャリアセンスで帯域に信号を検出することなく、送信できる。
【０３１９】
以上のように、この通信装置は従来の課題解決が可能である。
【０３２０】
以上の説明は、前記ＢＴ通信部１１が送信する場合の説明を行ったが、前記ＢＴ通信部１１が受信する場合、即ち、前記ＢＴ通信部１１が通信を行っている相手（以下、相手ＢＴ端末）が送信する場合でも同様の効果がある。例えば、前記相手ＢＴ端末が、前記ＷＬＡＮ通信部１０からある程度離れたところにあり、その距離は、その距離を信号が進む間に約３６ｄＢ減衰する距離であったとする。すると、上記でＢｌｕｅｔｏｏｔｈ信号が約３０ｄＢ減衰して−３０ｄＢｍの干渉として取り込まれる一方前記ＢＴ通信部１１が送信状態だから前記ＷＬＡＮキャリアセンスオフセット２７が「１２ｄＢ」だった代わりに、Ｂｌｕｅｔｏｏｔｈ信号が約３６ｄＢ減衰して−３６ｄＢｍの干渉として取り込まれる一方前記ＢＴ通信部１１が受信状態だから前記ＷＬＡＮキャリアセンスオフセット２７が「６ｄＢ」となって、すると、上記の説明と全く同じ結果となる。
【０３２１】
以上のように、本発明の実施の形態３における通信装置は、それぞれ送受信機能を有する複数の通信部と、前記通信部を監視し制御する監視制御部とを備える通信装置であって、前記監視制御部は、前記複数の通信部のうち、ある通信部（以下、第１の通信部とする）の動作内容をモニタして、前記モニタした動作内容に応じて、別の通信部（以下、第２の通信部とする）の送受信条件を調整するものである。
【０３２２】
このように構成することで、被干渉源もしくは干渉源がある通信動作時に干渉を受けたり与えたりする状況において、与える干渉もしくは受ける干渉を除去した送受信を実行可能である。
【０３２３】
ここでは、通信装置内に通信部を二つ持つ構成としたが、そうでなくてもよい。複数持ってもよい。複数のうちの、二つ以上の通信部の動作内容をモニタして、送受信条件を調整してもよい。また、モニタした動作内容に応じて、二つ以上の通信部の送受信条件を調整してもよい。
【０３２４】
ここでは、通信装置内に無線ＬＡＮによる通信部と、Ｂｌｕｅｔｏｏｔｈによる通信部とを持つ構成としたが、そうでなくてもよい。両方無線ＬＡＮでもよい。両方Ｂｌｕｅｔｏｏｔｈでもよい。全く別の方式でもよい。同一または近隣の周波数帯を使用する通信同士であれば、与える干渉もしくは受ける干渉を除去可能である。
【０３２５】
ここでは、前記ＷＬＡＮ受信信号２１として受けたデータに、処理を加えて前記ＷＬＡＮ−ＢＴ信号３１とし、更に処理を加えて前記ＢＴ送信信号４２とした。また、前記ＢＴ受信信号４１として受けたデータに、処理を加えて前記ＢＴ−ＷＬＡＮ信号３２とし、更に処理を加えて前記ＷＬＡＮ送信信号２２とした。つまり、無線ＬＡＮの信号として受けたデータをＢｌｕｅｔｏｏｔｈの信号として送出し、Ｂｌｕｅｔｏｏｔｈの信号として受けたデータを無線ＬＡＮの信号として送出した。だが、そうでなくてもよい。例えば、無線ＬＡＮの信号として受けたデータと、Ｂｌｕｅｔｏｏｔｈの信号として受けたデータとを独立に処理し、保存したり、別の経路から外部に出したり、一部のみを互いに受け渡したりしてもよい。
【０３２６】
ここでは、送受信条件の調整として、具体的には、キャリアセンスの調整を行った。また、キャリアセンスの調整として、具体的には、他から受ける干渉を下げるよう調節することとした。だが、そうでなくてもよい。例えば、他に与える干渉を下げるよう調整することとしてもよい。そのために、例えば、キャリアセンスにおける信号検出がされにくい方向に調整する代わりに、キャリアセンスにおける信号検出がされやすい方向に調整することが考えられる。これにより、信号検出されず送信を実行する頻度が減るので、干渉を与えることも減ると考えられる。また、他に与える干渉を下げるよう調整するために、例えば、送信電力を調整する方法も考えられる。
【０３２７】
また、本発明の実施の形態３における通信装置は、前記監視制御部は、前記モニタした動作内容（干渉源の動作内容）が、ある通信動作を示す時、第２の通信部の送受信条件を、他から受ける干渉を下げるよう調節することを特徴とするものである。
【０３２８】
このように構成することで、ある通信動作時に干渉を発生する干渉源に対し、干渉の影響を除去した送受信を実行可能である。
【０３２９】
ここでは、前記モニタした動作内容（干渉源の動作内容）を、非通信、送信、受信の場合に分けた。だが、そうでなくてもよい。例えば、非通信とそれ以外でわけ、一律、非通信はキャリアセンス閾値をデフォルトで、非通信以外はキャリアセンス閾値をデフォルトに６ｄＢプラスで、といった設定でもよい。そのようにすることで、干渉源が非通信以外のとき、受ける干渉を下げることが可能となる。あるいは、「非通信または受信」と、送信でわけ、一律、「非通信または受信」はキャリアセンス閾値をデフォルトで、送信はキャリアセンス閾値をデフォルトに６ｄＢプラスで、といった設定でもよい。そのようにすることで、干渉源が送信のとき、受ける干渉を下げることが可能となる。また、そもそも干渉源が送信しか行わない場合や、受信しか行わない場合は、それぞれ、送信、や、受信、という場合分けはなく、例えば、非通信、送信、といった場合分けや、非通信、受信、といった場合分けが考えられる。
【０３３０】
また、ここでは、キャリアセンスにおける信号検出のされやすさを調節することで、他から受ける干渉を下げるよう調節した。だが、そうでなくてもよい。例えば、送信電力や、アンテナの向きを調節することなどで、他から受ける干渉を下げるよう調節してもよい。
【０３３１】
また、本発明の実施の形態３における通信装置は、前記監視制御部は、第２の通信部のキャリアセンス多重アクセス機能において、信号あり（即ち送信不可）という判定が発生しにくい方向へ調節することで、他から受ける干渉を下げるよう調節することを特徴とするものである。
【０３３２】
このように構成することで、アンテナの向きを調節するなどハードウェア規模が大きくなるような手法に頼ることなく、他から受ける干渉を下げるよう調節することが可能である。
【０３３３】
ここでは、キャリアセンス閾値を調節することで、キャリアセンスにおける信号検出のされやすさを調節した。だが、そうでなくてもよい。例えば、信号電力の方を調節してもよい。例えば、キャリアセンス閾値にあるオフセット値を加えることは、そのオフセット値を、キャリアセンス閾値と比較される信号電力から差し引くことと同義である。
【０３３４】
また、ここではオフセットをデシベル値で与えるように構成したが、そうでなくてもよい。オフセットでなくキャリアセンス閾値を与えてもよい。デシベル値でなくボルト、ミリボルト、ワット、あるいは全く新しい単位であってもよい。
【０３３５】
また、ここでは、前記第１の通信部が使用する周波数チャンネルと、前記第２の通信部が使用する周波数チャンネルとが近いほど、キャリアセンス閾値を上げるよう調節することとしたが、そうでなくてもよい。例えば、周波数とは無関係に、通信種類だけで、キャリアセンス閾値を決定してもよい。こうすると、周波数の関係によっては、キャリアセンス閾値は少し上がり干渉は少し減るが効果が足りないケースや、キャリアセンス閾値は大きく上がり干渉は大きく減るがもう少しキャリアセンス閾値が小さくても十分干渉は小さいケースなどが発生することが考えられるが、それでも、干渉が減るという効果はあり、また、簡単な処理で実現可能という新たな効果もある。
【０３３６】
また、本発明の実施の形態３における通信装置は、前記監視制御部は、キャリアセンスにおける信号検出閾値を大きくすることで、信号あり（即ち送信不可）という判定が発生しにくい方向へ調節することを特徴とするものである。
【０３３７】
このように構成することで、受ける干渉の大きさを加味したキャリアセンスを実行可能であって、従って、干渉の影響を除去したキャリアセンスを実行可能である。
【０３３８】
また、本発明の実施の形態３における通信装置は、前記監視制御部は、前記モニタした動作内容（干渉源の動作内容）が、ある通信動作を示す時、別の通信動作を示す時に比べ、より、信号あり（即ち送信不可）という判定が発生しにくい方向へ調節することを特徴とするものである。
【０３３９】
このように構成することで、干渉源の動作の種類によって受ける干渉の大きさが異なることに対応し、きめ細かく干渉の影響を除去したキャリアセンスを実行可能である。
【０３４０】
ここでは、非通信、受信、送信、の順に、徐々にキャリアセンス閾値を大きくすることとした。これは、非通信、受信、送信、の順に、徐々に受ける干渉が大きくなることに対応したものである。だが、そうでなくてもよい。例えば、「非通信または送信」、受信、などと分けてもよい。そうしても、きめ細かい干渉除去といえる。また、別の干渉除去と組み合わせた結果、キャリアセンス閾値を大きくすべき順番が変わることもある。例えば、送信の時だけ効果がある別の干渉除去と組み合わせ、キャリアセンス閾値については、非通信、送信、受信、の順に、徐々に大きくすることとしてもよい。
【０３４１】
また、本発明の実施の形態３における通信装置は、前記監視制御部は、前記モニタした動作内容（干渉源の動作内容）が、送信動作を示す時、受信動作を示す時に比べ、より、信号あり（即ち送信不可）という判定が発生しにくい方向へ調節することを特徴とするものである。
【０３４２】
このように構成することで、干渉源の動作の種類によって受ける干渉の大きさが異なることに対応し、きめ細かく干渉の影響を除去したキャリアセンスを実行可能である。
【０３４３】
即ち、干渉源が、送信動作を行う場合、受信動作を行う場合に比べて、より大きな干渉を受けるが、そのように受ける干渉の大きさが異なることに対応し、きめ細かく干渉の影響を除去したキャリアセンスを実行可能である。
【０３４４】
ここでは、キャリアセンス閾値を、受信の時最大６ｄＢ、送信の時最大１２ｄＢ、デフォルトから上げることとした。だが、そうでなくてもよい。例えば、受信の時デフォルトのまま、送信の時６ｄＢ上げることとしてもよい。
【０３４５】
また、本発明の実施の形態３における通信装置は、前記監視制御部は、前記通信部が使用する周波数チャンネルを監視し、前記第１の通信部が使用する周波数チャンネルと、前記第２の通信部が使用する周波数チャンネルとの周波数差に応じて送受信条件を調整することを特徴とするものである。
【０３４６】
このように構成することで、被干渉源と干渉源との周波数の近さによって干渉の大きさが異なることに対応し、きめ細かく干渉を除去した送受信を実行可能である。
【０３４７】
ここでは、差は最小で２５ＭＨｚと想定し、その時がオフセットの絶対値が最大になる時とし、念のため差が０〜２５ＭＨｚまでオフセットの絶対値として最大値を設定し、差が２５ＭＨｚ〜５０ＭＨｚまでオフセットの絶対値として最大値から０まで徐々に下げるものとした。だが、そうでなくてもよい。差が０まで存在することを想定し、差が０の時オフセットの絶対値が最大になるよう設定してもよい。また、「２５ＭＨｚ」の代わりに１０ＭＨｚであっても４０ＭＨｚであっても、「５０ＭＨｚ」の代わりに４０ＭＨｚであっても１００ＭＨｚであっても、構わない。
【０３４８】
（実施の形態４）
図４は、本発明の実施の形態４における通信装置の構成を示すものである。
【０３４９】
前記ＷＬＡＮ受信信号２１、前記ＷＬＡＮ送信信号２２、前記ＷＬＡＮチャンネル２５、前記ＷＬＡＮキャリアセンスオフセット２７、前記ＷＬＡＮ−ＢＴ信号３１、前記ＢＴ−ＷＬＡＮ信号３２、前記ＢＴ受信信号４１、前記ＢＴ送信信号４２、前記ＢＴスロット４５、前記ＢＴ動作状態４６、前記監視制御部１２（ｂ）は、本発明の実施の形態１〜３における説明のとおりである。この中には、本発明の実施の形態１〜３においては重要な信号ではなかったためトップ図面（図１〜３）に表されていなかったものもあるが、この通信装置においては重要であるためトップ図面（図４）に表されている。
【０３５０】
１２（ａ’）は、監視制御部である。前記ＷＬＡＮチャンネル番号２５と、前記ＷＬＡＮ動作状態２６と、前記ＢＴスロット番号４５とを入力し、前記ＢＴ送信オフセット４８を出力する。前記ＷＬＡＮ動作状態２６が「非通信」を表していれば、前記ＢＴ送信オフセット４８を、「０」とする。前記ＷＬＡＮ動作状態２６が「送信」を表していれば、前記ＢＴ送信オフセット４８を、「−５ｄＢ〜０」とする。前記ＷＬＡＮ動作状態２６が「受信」を表していれば、前記ＢＴ送信オフセット４８を、「−１０ｄＢ〜０」とする。前記ＷＬＡＮ動作状態２６が「キャリアセンス」を表していれば、前記ＢＴ送信オフセット４８を、「−９ｄＢ〜０」とする。前記ＷＬＡＮチャンネル番号２５が示す周波数と、前記ＢＴスロット番号４５が示す周波数との差が小さい時オフセットの絶対値を大きく、差が大きい時オフセットの絶対値を小さくする。差は最小で２５ＭＨｚと想定し、その時がオフセットの絶対値が最大になる時とし、念のため差が０〜２５ＭＨｚまでオフセットの絶対値として最大値を設定し、差が２５ＭＨｚ〜５０ＭＨｚまでオフセットの絶対値として最大値から０まで徐々に下げるものとした。表３（ａ’）にまとめた。
【０３５１】
１２（ｃ’）は、監視制御部である。前記ＷＬＡＮチャンネル番号２５と、前記ＢＴ動作状態４６と、前記ＢＴスロット番号４５とを入力し、前記ＷＬＡＮキャリアセンスオフセット２７を出力する。前記ＢＴ動作状態４６が「非通信」を表していれば、前記ＷＬＡＮキャリアセンスオフセット２７を、「０」とする。前記ＢＴ動作状態４６が「送信」を表していれば、前記ＷＬＡＮキャリアセンスオフセット２７を、「６ｄＢ〜０」とする。前記ＢＴ動作状態４６が「受信」を表していれば、前記ＷＬＡＮキャリアセンスオフセット２７を、「３ｄＢ〜０」とする。前記ＷＬＡＮチャンネル番号２５が示す周波数と、前記ＢＴスロット番号４５が示す周波数との差が小さい時オフセットの絶対値を大きく、差が大きい時オフセットの絶対値を小さくする。差は最小で２５ＭＨｚと想定し、その時がオフセットの絶対値が最大になる時とし、念のため差が０〜２５ＭＨｚまでオフセットの絶対値として最大値を設定し、差が２５ＭＨｚ〜５０ＭＨｚまでオフセットの絶対値として最大値から０まで徐々に下げるものとした。表３（ｃ’）にまとめた。
【０３５２】
本発明の実施の形態１〜３においては、監視制御部として、前記監視制御部１２（ａ）、前記監視制御部１２（ｂ）、前記監視制御部１２（ｃ）のいずれか一つが存在していたが、この通信装置においては、前記監視制御部１２（ａ’）、前記監視制御部１２（ｂ）、前記監視制御部１２（ｃ’）という３つの監視制御部が存在している。
【０３５３】
１０（ｚ）は、ＷＬＡＮ通信部である。前記ＷＬＡＮ受信信号２１と、前記ＷＬＡＮキャリアセンスオフセット２７と、前記ＷＬＡＮ送信オフセット２８と、前記ＢＴ−ＷＬＡＮ信号３２とを入力し、前記ＷＬＡＮ送信信号２２と、前記ＷＬＡＮ−ＢＴ信号３１と、前記ＷＬＡＮチャンネル番号２５とを出力する。
【０３５４】
１１（ｚ）は、ＢＴ通信部である。前記ＢＴ受信信号４１と、前記ＷＬＡＮ−ＢＴ信号３１と、前記ＢＴ送信オフセット４８とを入力し、前記ＢＴ送信信号４２と、前記ＢＴ−ＷＬＡＮ信号３３と、前記ＢＴスロット番号４５と、前記ＢＴ動作状態４６とを出力する。
【０３５５】
前記ＷＬＡＮ通信部１０（ｚ）と、前記監視制御部１２（ｂ）と、前記監視制御部１２（ｃ）とで無線ＬＡＮ部を構成している。
【０３５６】
前記ＢＴ通信部１１（ｚ）と、前記監視制御部１２（ａ）とでＢｌｕｅｔｏｏｔｈ部を構成している。
【０３５７】
以下では、前記ＷＬＡＮ通信部１０（ｚ）、前記ＢＴ通信部１１（ｚ）の添え字を外し、前記ＷＬＡＮ通信部１０、前記ＢＴ通信部１１と表す。
【０３５８】
従来例、及び、本発明の実施の形態１〜３で使用した図５は、本発明の実施の形態３における通信装置内部の前記ＷＬＡＮ通信部１０の構成を示すものでもある。
【０３５９】
従来例、及び、本発明の実施の形態１〜３で使用した図６は、本発明の実施の形態３における通信装置内部の前記ＢＴ通信部１１の構成を示すものでもある。
【０３６０】
このように構成された、本発明の実施の形態４における通信装置の動作を説明する。
【０３６１】
この通信装置は、状況に左右されない普遍的な動作としては、前述の「動作Ａ」と全く同じ動作を行う。
【０３６２】
以下、前述の状況Ｂでの動作を説明する。
【０３６３】
前述のとおり、状況Ｂとは、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域（約２５ＭＨｚ幅）の中心周波数から２５ＭＨｚ離れた周波数に送信されている状況である。
【０３６４】
この通信装置は、細かい値を除けば、本発明の実施の形態１〜３をあわせたものとなっている。従って、本発明の実施の形態１〜３で発揮した効果を全て発揮するものとなっている。具体的には、「（１）『Ｂｌｕｅｔｏｏｔｈ⇒無線ＬＡＮ』干渉問題」の、「（１）−１  無線ＬＡＮキャリアセンス時の問題」、「（１）−２  無線ＬＡＮ受信時の問題」、「（１）−３  無線ＬＡＮ送信時の問題」である。また、「（２）『無線ＬＡＮ⇒Ｂｌｕｅｔｏｏｔｈ』干渉問題」の、「（２）−１  Ｂｌｕｅｔｏｏｔｈ受信時の問題」、「（２）−２  Ｂｌｕｅｔｏｏｔｈ送信時の問題」である。
【０３６５】
（１）−２に関連した動作としては、この通信装置は、本発明の実施の形態１における動作の説明における「（１）−２  無線ＬＡＮ受信時の問題」に関する説明と、全く同じ動作を行う。
【０３６６】
（１）−３に関連した動作としては、この通信装置は、本発明の実施の形態１における動作の説明における「（１）−３  無線ＬＡＮ送信時の問題」に関する説明と、全く同じ動作を行う。
【０３６７】
（２）−１に関連した動作としては、この通信装置は、本発明の実施の形態２における動作の説明における「（２）−１  Ｂｌｕｅｔｏｏｔｈ受信時の問題」に関する説明と、全く同じ動作を行う。
【０３６８】
（２）−２に関連した動作としては、この通信装置は、本発明の実施の形態２における動作の説明における「（２）−２  Ｂｌｕｅｔｏｏｔｈ送信時の問題」に関する説明と、全く同じ動作を行う。
【０３６９】
以下では、「（１）『Ｂｌｕｅｔｏｏｔｈ⇒無線ＬＡＮ』干渉問題」の、「（１）−１  無線ＬＡＮキャリアセンス時の問題」に関連した動作について説明する。
【０３７０】
従来例での（１）−１の説明のとおり、この（１）−１においては、前記ＷＬＡＮ受信信号２１は、有効な無線ＬＡＮ信号を含んでおらず、干渉成分のみである。
【０３７１】
当初、前記ＢＴ通信部１１は、前記ＢＴ送信信号４２を、デフォルトの０ｄＢｍの送信電力で送信すると、従来例での（１）−１の説明のとおり、前記干渉低減受信信号６２は−６５ｄＢｍとなる。
【０３７２】
前記ＷＬＡＮ通信部１０において、前記キャリアセンス部５３は、前記干渉低減受信信号６２の大きさである−６５ｄＢｍと、信号検出閾値である−７６ｄＢｍと比較し、前記干渉低減受信信号６２が大きいので、信号有と判定し、前記送信可否信号６３として「送信不可」を出力する。
【０３７３】
前記送信部５４は、前記送信可否信号６３が「送信不可」だから送信を行うことが出来ない。前記送信動作状態６４は、「キャリアセンス」とされる。
【０３７４】
前記復調部５５は、ここでは復調動作を行わないので、前記ＷＬＡＮ−ＢＴ信号３１は有効な信号を含まない。前記復調動作状態６５は、「非受信」とされる。
【０３７５】
前記ＷＬＡＮ動作状態２６は、前記送信動作状態６４と、前記復調動作状態６５とからなり、それぞれ、「キャリアセンス」、「非受信」を表す。これは、この通信装置内部の、前記ＷＬＡＮ通信部１０の通信状態が、キャリアセンス状態であることを示している。
【０３７６】
一方、前記ＢＴ動作状態４６は、前記送信動作状態８４と、前記復調動作状態８５とからなり、前記送信動作状態８４は「送信」を表す。これは、この通信装置内部の、前記ＢＴ通信部１１の通信状態が、送信状態であることを示している。
【０３７７】
ここまでの動作は、従来例での（１）−１の説明のとおりであるが、ここからが異なる。
【０３７８】
この通信装置内部の、前記監視制御部１２は、表３（ａ）に従って、前記ＢＴ送信オフセット４８として、「−９ｄＢ」を出力する。
【０３７９】
それを受け、この通信装置内部の、前記ＢＴ通信部１１では、前記ＢＴ送信信号４２は、当初より９ｄＢ小さい−９ｄＢｍとなる。
【０３８０】
すると、当初−６５ｄＢｍであった前記干渉低減受信信号６２の大きさは、９ｄＢ小さい−７４ｄＢｍとなる。なぜなら、前記受信フィルタ５２の特性（例えば、中心周波数から２５ＭＨｚ離れた信号は３５ｄＢ減衰する）は、信号の大きさが変わっても同じであるからである。
【０３８１】
一方、この通信装置内部の、前記監視制御部１２は、表３（ｃ’）に従って、前記ＷＬＡＮキャリアセンスオフセット２７として、「３ｄＢ」を出力する。
【０３８２】
それを受け、この通信装置内部の、前記ＷＬＡＮ通信部１０では、前記ＷＬＡＮキャリアセンスオフセット２７が「１２ｄＢ」となり、前記キャリアセンス閾値６７は、当初より３ｄＢ大きい−７３ｄＢｍとなる。
【０３８３】
すると、当初前記干渉低減受信信号６２（−６５ｄＢｍ）は前記キャリアセンス閾値６７（当初−７６ｄＢｍ）より小さかったが、この時は大きくなって（それぞれ、−７４ｄＢ、−７３ｄＢ）、その結果、前記キャリアセンス部５３は、信号無と判定し、前記送信可否信号６３として「送信可」を出力する。
【０３８４】
前記送信部５４は、前記送信可否信号６３が「送信可」だから送信を行うことが出来る。
【０３８５】
以上のように、この通信装置においては、従来例と異なり、ＩＥＥＥ８０２．１１は、Ｂｌｕｅｔｏｏｔｈが送信していても、キャリアセンスで帯域に信号を検出することなく、送信できる。
【０３８６】
本発明の実施の形態１においても、また、本発明の実施の形態３においても、同様の効果があった。だが、本発明の実施の形態１においては、Ｂｌｕｅｔｏｏｔｈの送信電力制御にのみ頼る方法であったため、小さな送信電力から大きな送信電力まで信号が歪まないデバイスが必要となる。また、本発明の実施の形態３においては、無線ＬＡＮのキャリアセンスにのみ頼る方法であったため、小さな電力から大きな電力まで信号検出が可能なデバイスが必要となる。この通信装置によれば、Ｂｌｕｅｔｏｏｔｈの送信電力制御と無線ＬＡＮのキャリアセンスとを使用するため、簡単なデバイスで実現可能である。
【０３８７】
以上のように、本発明の実施の形態４における通信装置は、それぞれ送受信機能を有する複数の通信部と、前記通信部を監視し制御する監視制御部とを備える通信装置であって、前記監視制御部は、前記複数の通信部のうち、ある通信部（以下、第１の通信部とする）の動作内容をモニタして、前記モニタした動作内容に応じて、別の通信部（以下、第２の通信部とする）の送受信条件を調整するものである。
【０３８８】
このように構成することで、被干渉源もしくは干渉源がある通信動作時に干渉を受けたり与えたりする状況において、与える干渉もしくは受ける干渉を除去した送受信を実行可能である。
【０３８９】
ここでは、通信装置内に通信部を二つ持つ構成としたが、そうでなくてもよい。複数持ってもよい。複数のうちの、二つ以上の通信部の動作内容をモニタして、送受信条件を調整してもよい。また、モニタした動作内容に応じて、二つ以上の通信部の送受信条件を調整してもよい。
【０３９０】
ここでは、通信装置内に無線ＬＡＮによる通信部と、Ｂｌｕｅｔｏｏｔｈによる通信部とを持つ構成としたが、そうでなくてもよい。両方無線ＬＡＮでもよい。両方Ｂｌｕｅｔｏｏｔｈでもよい。全く別の方式でもよい。同一または近隣の周波数帯を使用する通信同士であれば、与える干渉もしくは受ける干渉を除去可能である。
【０３９１】
ここでは、前記ＷＬＡＮ受信信号２１として受けたデータに、処理を加えて前記ＷＬＡＮ−ＢＴ信号３１とし、更に処理を加えて前記ＢＴ送信信号４２とした。また、前記ＢＴ受信信号４１として受けたデータに、処理を加えて前記ＢＴ−ＷＬＡＮ信号３２とし、更に処理を加えて前記ＷＬＡＮ送信信号２２とした。つまり、無線ＬＡＮの信号として受けたデータをＢｌｕｅｔｏｏｔｈの信号として送出し、Ｂｌｕｅｔｏｏｔｈの信号として受けたデータを無線ＬＡＮの信号として送出した。だが、そうでなくてもよい。例えば、無線ＬＡＮの信号として受けたデータと、Ｂｌｕｅｔｏｏｔｈの信号として受けたデータとを独立に処理し、保存したり、別の経路から外部に出したり、一部のみを互いに受け渡したりしてもよい。
【０３９２】
ここでは、送受信条件の調整として、具体的には、第１に、送信条件の調整を行った。また、送信条件の調整として、具体的には、他に与える干渉を下げるよう調節することとした。だが、そうでなくてもよい。例えば、他から受ける干渉を下げるよう調整することとしてもよい。そのために、例えば、送信電力を下げる代わりに上げることにより他から受ける干渉を下げるよう調整する方法が考えられる。
【０３９３】
また、ここでは、送受信条件の調整として、具体的には、第２に、キャリアセンスの調整を行った。また、キャリアセンスの調整として、具体的には、他から受ける干渉を下げるよう調節することとした。だが、そうでなくてもよい。例えば、他に与える干渉を下げるよう調整することとしてもよい。そのために、例えば、キャリアセンスにおける信号検出がされにくい方向に調整する代わりに、キャリアセンスにおける信号検出がされやすい方向に調整することが考えられる。これにより、信号検出されず送信を実行する頻度が減るので、干渉を与えることも減ると考えられる。
【０３９４】
また、第２の通信部（前記ＢＴ通信部１１）の送受信条件を調整する代わりに、第２の通信部の、通信相手の送受信条件を調整しても効果がある。第２の通信部の送受信条件を調整した上で、第２の通信部の、通信相手の送受信条件を調整すると、効果が大きい。第２の通信部の、通信相手の送受信条件を調整するために、第２の通信部に、送受信条件をデータ化して送信させてもよい。
【０３９５】
また、本発明の実施の形態４における通信装置は、前記監視制御部は、前記モニタした動作内容（被干渉源の動作内容）が、ある通信動作を示す時、第２の通信部の送信条件を、他に与える干渉を下げるよう調節することを特徴とするものである。
【０３９６】
このように構成することで、被干渉源がある通信動作時に干渉を受ける状況において、与える干渉を除去した送信を実行可能である。
【０３９７】
ここでは、前記モニタした動作内容（被干渉源の動作内容）を、非通信、送信、受信、キャリアセンスの場合に分けた。だが、そうでなくてもよい。例えば、非通信とそれ以外でわけ、一律、非通信は送信電力をデフォルトで、非通信以外は送信電力をデフォルトから１２ｄＢダウンで、といった設定でもよい。そのようにすることで、被干渉源が非通信以外のとき、与える干渉を下げることが可能となる。あるいは、「非通信または送信」と、それ以外でわけ、一律、「非通信または送信」は送信電力をデフォルトで、それ以外は送信電力をデフォルトから１２ｄＢダウンで、といった設定でもよい。そのようにすることで、被干渉源が「非通信または送信」以外のとき、与える干渉を下げることが可能となる。（１）−２と（１）−３を比較すればわかるとおり、被干渉源は「送信」のとき「受信」の時より干渉に強い傾向にあるので、この方法は効果が大きいと言える。干渉の影響が小さいのであれば、送信電力は大きい方がノイズに強くなるからである。また、そもそも被干渉源がキャリアセンス多重アクセスを採用していない場合は、「キャリアセンス」という場合分けはなく、例えば、非通信、送信、受信、といった場合分けが考えられる。例えば被干渉源がＢｌｕｅｔｏｏｔｈを採用していればそのようになる。また、そもそも被干渉源が送信しか行わない場合や、受信しか行わない場合は、それぞれ、送信、や、受信、という場合分けはなく、例えば、非通信、送信、といった場合分けや、非通信、受信、といった場合分けが考えられる。
【０３９８】
また、ここでは、送信電力を下げるよう調節することで、他に与える干渉を下げるよう調節した。だが、そうでなくてもよい。例えば、アンテナの向きを調節することで、他に与える干渉を下げるよう調節してもよい。
【０３９９】
また、本発明の実施の形態４における通信装置は、前記監視制御部は、送信電力を下げるよう調節することで、他に与える干渉を下げるよう調節することを特徴とするものである。
【０４００】
このように構成することで、アンテナの向きを調節するなどハードウェア規模が大きくなるような手法に頼ることなく、他に与える干渉を下げるよう調節することが可能である。
【０４０１】
ここではオフセットをデシベル値で与えるように構成したが、そうでなくてもよい。オフセットでなく送信電力値を与えてもよい。デシベル値でなくボルト、ミリボルト、ワット、あるいは全く新しい単位であってもよい。
【０４０２】
また、ここでは、前記第１の通信部が使用する周波数チャンネルと、前記第２の通信部が使用する周波数チャンネルとが近いほど、送信電力を下げるよう調節することとしたが、そうでなくてもよい。例えば、周波数とは無関係に、通信種類だけで、送信電力を決定してもよい。こうすると、周波数の関係によっては、送信電力は少し下がり干渉は少し減るが効果が足りないケースや、送信電力は大きく下がり干渉は大きく減るがもう少し送信電力が大きくても十分干渉は小さいケースなどが発生することが考えられるが、それでも、干渉が減るという効果はあり、また、簡単な処理で実現可能という新たな効果もある。
【０４０３】
また、本発明の実施の形態４における通信装置は、前記監視制御部は、前記モニタした動作内容（被干渉源の動作内容）が、ある通信動作を示す時、別の通信動作を示す時に比べ、より、送信電力を下げるよう調節することを特徴とするものである。
【０４０４】
このように構成することで、被干渉源の動作の種類によって与える干渉の大きさが異なることに対応し、きめ細かく与える干渉を除去した送信を実行可能である。
【０４０５】
ここでは、非通信、送信、キャリアセンス、受信、の順に、徐々に送信電力を小さくすることとした。これは、もともとは非通信、送信、受信、キャリアセンス、の順に、徐々に干渉から受けるダメージが大きいので、非通信、送信、受信、キャリアセンス、の順に、徐々に送信電力を小さくするべきであるが、キャリアセンス閾値の調整という、キャリアセンスにだけ効果がある別の干渉除去と組み合わせたため、送信電力を小さくすべき順番が変わったことに対応したものである。だが、そうでなくてもよい。例えば、非通信、「送信またはキャリアセンス」、受信、などと分けてもよい。そうしても、きめ細かい干渉除去といえる。また、別の干渉除去と組み合わせるのをやめ、単純に非通信、送信、受信、キャリアセンス、の順に、徐々に送信電力を小さくしてもよい。
【０４０６】
また、本発明の実施の形態４における通信装置は、前記監視制御部は、前記モニタした動作内容（被干渉源の動作内容）が、受信動作を示す時、送信動作を示す時に比べ、より、送信電力を下げるよう調節することを特徴とするものである。
【０４０７】
このように構成することで、被干渉源の動作の種類によって与える干渉の大きさが異なることに対応し、きめ細かく与える干渉を除去した送信を実行可能である。
【０４０８】
即ち、被干渉源は、受信動作を行う場合、送信動作を行う場合に比べて、より大きな干渉を受ける。そのように、与える干渉の大きさが異なることに対応し、きめ細かく与える干渉を除去した送信を実行可能である。
【０４０９】
ここでは、送信の時最大５ｄＢ、受信の時最大１０ｄＢ、デフォルトから下げることとした。だが、そうでなくてもよい。例えば、送信の時デフォルトのまま、受信の時５ｄＢ下げることとしてもよい。
【０４１０】
また、本発明の実施の形態４における通信装置は、前記監視制御部は、前記モニタした動作内容（被干渉源の動作内容）が、キャリアセンス動作を示す時、送信動作を示す時に比べ、より、送信電力を下げるよう調節することを特徴とするものである。
【０４１１】
このように構成することで、被干渉源の動作の種類によって与える干渉の大きさが異なることに対応し、きめ細かく与える干渉を除去した送信を実行可能である。
【０４１２】
即ち、被干渉源は、キャリアセンスを行う場合、送信動作を行う場合に比べて、より大きな干渉を受ける。そのように、与える干渉の大きさが異なることに対応し、きめ細かく与える干渉を除去した送信を実行可能である。
【０４１３】
ここでは、送信の時最大５ｄＢ、キャリアセンスの時最大９ｄＢ、デフォルトから下げることとした。だが、そうでなくてもよい。例えば、送信の時デフォルトのまま、キャリアセンスの時５ｄＢ下げることとしてもよい。
【０４１４】
また、本発明の実施の形態４における通信装置は、前記監視制御部は、前記モニタした動作内容（干渉源の動作内容）が、ある通信動作を示す時、第２の通信部の送受信条件を、他から受ける干渉を下げるよう調節することを特徴とするものである。
【０４１５】
このように構成することで、ある通信動作時に干渉を発生する干渉源に対し、干渉の影響を除去した送受信を実行可能である。
【０４１６】
ここでは、前記モニタした動作内容（干渉源の動作内容）を、非通信、送信、受信の場合に分けた。だが、そうでなくてもよい。例えば、非通信とそれ以外でわけ、一律、非通信はキャリアセンス閾値をデフォルトで、非通信以外はキャリアセンス閾値をデフォルトに６ｄＢプラスで、といった設定でもよい。そのようにすることで、干渉源が非通信以外のとき、受ける干渉を下げることが可能となる。あるいは、「非通信または送信」と、受信でわけ、一律、「非通信または送信」はキャリアセンス閾値をデフォルトで、受信はキャリアセンス閾値をデフォルトに６ｄＢプラスで、といった設定でもよい。そのようにすることで、干渉源が受信のとき、受ける干渉を下げることが可能となる。また、そもそも干渉源が送信しか行わない場合や、受信しか行わない場合は、それぞれ、送信、や、受信、という場合分けはなく、例えば、非通信、送信、といった場合分けや、非通信、受信、といった場合分けが考えられる。
【０４１７】
また、ここでは、キャリアセンスにおける信号検出のされやすさを調節することで、他から受ける干渉を下げるよう調節した。だが、そうでなくてもよい。例えば、送信電力や、アンテナの向きを調節することなどで、他から受ける干渉を下げるよう調節してもよい。
【０４１８】
また、本発明の実施の形態４における通信装置は、前記監視制御部は、第２の通信部のキャリアセンス多重アクセス機能において、信号あり（即ち送信不可）という判定が発生しにくい方向へ調節することで、他から受ける干渉を下げるよう調節することを特徴とするものである。
【０４１９】
このように構成することで、アンテナの向きを調節するなどハードウェア規模が大きくなるような手法に頼ることなく、他から受ける干渉を下げるよう調節することが可能である。
【０４２０】
ここでは、キャリアセンス閾値を調節することで、キャリアセンスにおける信号検出のされやすさを調節した。だが、そうでなくてもよい。例えば、信号電力の方を調節してもよい。例えば、キャリアセンス閾値にあるオフセット値を加えることは、そのオフセット値を、キャリアセンス閾値と比較される信号電力から差し引くことと同義である。
【０４２１】
また、ここではオフセットをデシベル値で与えるように構成したが、そうでなくてもよい。オフセットでなくキャリアセンス閾値を与えてもよい。デシベル値でなくボルト、ミリボルト、ワット、あるいは全く新しい単位であってもよい。
【０４２２】
また、ここでは、前記第１の通信部が使用する周波数チャンネルと、前記第２の通信部が使用する周波数チャンネルとが近いほど、キャリアセンス閾値を上げるよう調節することとしたが、そうでなくてもよい。例えば、周波数とは無関係に、通信種類だけで、キャリアセンス閾値を決定してもよい。こうすると、周波数の関係によっては、キャリアセンス閾値は少し上がり干渉は少し減るが効果が足りないケースや、キャリアセンス閾値は大きく上がり干渉は大きく減るがもう少しキャリアセンス閾値が小さくても十分干渉は小さいケースなどが発生することが考えられるが、それでも、干渉が減るという効果はあり、また、簡単な処理で実現可能という新たな効果もある。
【０４２３】
また、本発明の実施の形態４における通信装置は、前記監視制御部は、キャリアセンスにおける信号検出閾値を大きくすることで、信号あり（即ち送信不可）という判定が発生しにくい方向へ調節することを特徴とするものである。
【０４２４】
このように構成することで、受ける干渉の大きさを加味したキャリアセンスを実行可能であって、従って、干渉の影響を除去したキャリアセンスを実行可能である。
【０４２５】
また、本発明の実施の形態４における通信装置は、前記監視制御部は、前記モニタした動作内容（干渉源の動作内容）が、ある通信動作を示す時、別の通信動作を示す時に比べ、より、信号あり（即ち送信不可）という判定が発生しにくい方向へ調節することを特徴とするものである。
【０４２６】
このように構成することで、干渉源の動作の種類によって受ける干渉の大きさが異なることに対応し、きめ細かく干渉の影響を除去したキャリアセンスを実行可能である。
【０４２７】
ここでは、非通信、送信、受信、の順に、徐々にキャリアセンス閾値を大きくすることとした。これは、本来、非通信、受信、送信、の順に、徐々に受ける干渉が大きくなることに対応して、非通信、受信、送信、の順に、徐々にキャリアセンス閾値を大きくすべきであるが、別の干渉除去（送信電力制御）と組み合わせた結果、キャリアセンス閾値を大きくすべき順番が変わったものである。だが、そうでなくてもよい。例えば、「非通信または送信」、受信、などと分けてもよい。そうしても、きめ細かい干渉除去といえる。また、別の干渉除去と組み合わせるのをやめ、本来の、非通信、受信、送信、の順に、徐々にキャリアセンス閾値を大きくすることとしてもよい。
【０４２８】
また、本発明の実施の形態４における通信装置は、前記監視制御部は、前記モニタした動作内容（干渉源の動作内容）が、送信動作を示す時、受信動作を示す時に比べ、より、信号あり（即ち送信不可）という判定が発生しにくい方向へ調節することを特徴とするものである。
【０４２９】
このように構成することで、干渉源の動作の種類によって受ける干渉の大きさが異なることに対応し、きめ細かく干渉の影響を除去したキャリアセンスを実行可能である。
【０４３０】
即ち、干渉源が、送信動作を行う場合、受信動作を行う場合に比べて、より大きな干渉を受けるが、そのように受ける干渉の大きさが異なることに対応し、きめ細かく干渉の影響を除去したキャリアセンスを実行可能である。
【０４３１】
ここでは、被干渉源で、キャリアセンス閾値を、干渉源が受信の時最大６ｄＢ、干渉源が送信の時最大３ｄＢ、デフォルトから上げ、更に、干渉源の送信電力を、最大９ｄＢデフォルトから下げることとし、それらの結果、干渉源が送信の時により大きく干渉を除去するようにした。だが、そうでなくてもよい。例えば、キャリアセンス閾値の操作と送信電力の操作の配分は自由に変えてよい。また、一方だけに頼ってもよい。
【０４３２】
また、本発明の実施の形態４における通信装置は、前記監視制御部は、前記通信部が使用する周波数チャンネルを監視し、前記第１の通信部が使用する周波数チャンネルと、前記第２の通信部が使用する周波数チャンネルとの周波数差に応じて送受信条件を調整することを特徴とするものである。
【０４３３】
このように構成することで、被干渉源と干渉源との周波数の近さによって干渉の大きさが異なることに対応し、きめ細かく干渉を除去した送受信を実行可能である。
【０４３４】
ここでは、差は最小で２５ＭＨｚと想定し、その時がオフセットの絶対値が最大になる時とし、念のため差が０〜２５ＭＨｚまでオフセットの絶対値として最大値を設定し、差が２５ＭＨｚ〜５０ＭＨｚまでオフセットの絶対値として最大値から０まで徐々に下げるものとした。だが、そうでなくてもよい。差が０まで存在することを想定し、差が０の時オフセットの絶対値が最大になるよう設定してもよい。また、「２５ＭＨｚ」の代わりに１０ＭＨｚであっても４０ＭＨｚであっても、「５０ＭＨｚ」の代わりに４０ＭＨｚであっても１００ＭＨｚであっても、構わない。
【０４３５】
以上のように、本発明の通信装置は、それぞれ送受信機能を有する複数の通信部と、前記通信部を監視し制御する監視制御部とを備える通信装置であって、前記監視制御部は、前記複数の通信部のうち、ある通信部（以下、第１の通信部とする）の動作内容をモニタして、前記モニタした動作内容に応じて、別の通信部（以下、第２の通信部とする）の送受信条件を調整するものである。
【０４３６】
このように構成することで、被干渉源もしくは干渉源がある通信動作時に干渉を受けたり与えたりする状況において、与える干渉もしくは受ける干渉を除去した送受信を実行可能である。
【０４３７】
また、第２の通信部の送受信条件を調整する代わりに、第２の通信部の、通信相手の送受信条件を調整しても効果がある。第２の通信部の送受信条件を調整した上で、第２の通信部の、通信相手の送受信条件を調整すると、効果が大きい。第２の通信部の、通信相手の送受信条件を調整するために、第２の通信部に、送受信条件をデータ化して送信させてもよい。
【０４３８】
また、本発明の通信装置は、前記監視制御部は、前記モニタした動作内容（被干渉源の動作内容）が、ある通信動作を示す時、第２の通信部の送信条件を、他に与える干渉を下げるよう調節することを特徴とするものである。
【０４３９】
このように構成することで、被干渉源がある通信動作時に干渉を受ける状況において、与える干渉を除去した送信を実行可能である。
【０４４０】
また、本発明の通信装置は、前記監視制御部は、送信電力を下げるよう調節することで、他に与える干渉を下げるよう調節することを特徴とするものである。
【０４４１】
このように構成することで、アンテナの向きを調節するなどハードウェア規模が大きくなるような手法に頼ることなく、他に与える干渉を下げるよう調節することが可能である。
【０４４２】
また、本発明の通信装置は、前記監視制御部は、前記モニタした動作内容（被干渉源の動作内容）が、ある通信動作を示す時、別の通信動作を示す時に比べ、より、送信電力を下げるよう調節することを特徴とするものである。
【０４４３】
このように構成することで、被干渉源の動作の種類によって与える干渉の大きさが異なることに対応し、きめ細かく与える干渉を除去した送信を実行可能である。
【０４４４】
また、本発明の通信装置は、前記監視制御部は、前記モニタした動作内容（被干渉源の動作内容）が、受信動作を示す時、送信動作を示す時に比べ、より、送信電力を下げるよう調節することを特徴とするものである。
【０４４５】
このように構成することで、被干渉源の動作の種類によって与える干渉の大きさが異なることに対応し、きめ細かく与える干渉を除去した送信を実行可能である。
【０４４６】
即ち、被干渉源は、受信動作を行う場合、送信動作を行う場合に比べて、より大きな干渉を受ける。そのように、与える干渉の大きさが異なることに対応し、きめ細かく与える干渉を除去した送信を実行可能である。
【０４４７】
また、本発明の通信装置は、前記監視制御部は、前記モニタした動作内容（被干渉源の動作内容）が、キャリアセンス動作を示す時、受信動作を示す時に比べ、より、送信電力を下げるよう調節することを特徴とするものである。
【０４４８】
このように構成することで、被干渉源の動作の種類によって与える干渉の大きさが異なることに対応し、きめ細かく与える干渉を除去した送信を実行可能である。
【０４４９】
即ち、被干渉源は、キャリアセンスを行う場合、受信動作を行う場合に比べて、より大きな干渉を受ける。そのように、与える干渉の大きさが異なることに対応し、きめ細かく与える干渉を除去した送信を実行可能である。
【０４５０】
また、本発明の通信装置は、前記監視制御部は、前記モニタした動作内容（被干渉源の動作内容）が、キャリアセンス動作を示す時、送信動作を示す時に比べ、より、送信電力を下げるよう調節することを特徴とするものである。
【０４５１】
このように構成することで、被干渉源の動作の種類によって与える干渉の大きさが異なることに対応し、きめ細かく与える干渉を除去した送信を実行可能である。
【０４５２】
即ち、被干渉源は、キャリアセンスを行う場合、送信動作を行う場合に比べて、より大きな干渉を受ける。そのように、与える干渉の大きさが異なることに対応し、きめ細かく与える干渉を除去した送信を実行可能である。
【０４５３】
また、本発明の通信装置は、前記監視制御部は、前記モニタした動作内容（干渉源の動作内容）が、ある通信動作を示す時、第２の通信部の送受信条件を、他から受ける干渉を下げるよう調節することを特徴とするものである。
【０４５４】
このように構成することで、ある通信動作時に干渉を発生する干渉源に対し、干渉の影響を除去した送受信を実行可能である。
【０４５５】
また、本発明の通信装置は、前記監視制御部は、第２の通信部のキャリアセンス多重アクセス機能において、信号あり（即ち送信不可）という判定が発生しにくい方向へ調節することで、他から受ける干渉を下げるよう調節することを特徴とするものである。
【０４５６】
このように構成することで、アンテナの向きを調節するなどハードウェア規模が大きくなるような手法に頼ることなく、他から受ける干渉を下げるよう調節することが可能である。
【０４５７】
また、本発明の通信装置は、前記監視制御部は、キャリアセンスにおける信号検出閾値を大きくすることで、信号あり（即ち送信不可）という判定が発生しにくい方向へ調節することを特徴とするものである。
【０４５８】
このように構成することで、受ける干渉の大きさを加味したキャリアセンスを実行可能であって、従って、干渉の影響を除去したキャリアセンスを実行可能である。
【０４５９】
また、本発明の通信装置は、前記監視制御部は、キャリアセンスにおける電力計算から所定の値を差し引くことで、信号あり（即ち送信不可）という判定が発生しにくい方向へ調節することを特徴とするものである。
【０４６０】
このように構成することで、受ける干渉の大きさを加味したキャリアセンスを実行可能であって、従って、干渉の影響を除去したキャリアセンスを実行可能である。
【０４６１】
また、本発明の通信装置は、前記監視制御部は、前記モニタした動作内容（干渉源の動作内容）が、ある通信動作を示す時、別の通信動作を示す時に比べ、より、信号あり（即ち送信不可）という判定が発生しにくい方向へ調節することを特徴とするものである。
【０４６２】
このように構成することで、干渉源の動作の種類によって受ける干渉の大きさが異なることに対応し、きめ細かく干渉の影響を除去したキャリアセンスを実行可能である。
【０４６３】
また、本発明の通信装置は、前記監視制御部は、前記モニタした動作内容（干渉源の動作内容）が、送信動作を示す時、受信動作を示す時に比べ、より、信号あり（即ち送信不可）という判定が発生しにくい方向へ調節することを特徴とするものである。
【０４６４】
このように構成することで、干渉源の動作の種類によって受ける干渉の大きさが異なることに対応し、きめ細かく干渉の影響を除去したキャリアセンスを実行可能である。
【０４６５】
即ち、干渉源が、送信動作を行う場合、受信動作を行う場合に比べて、より大きな干渉を受けるが、そのように受ける干渉の大きさが異なることに対応し、きめ細かく干渉の影響を除去したキャリアセンスを実行可能である。
【０４６６】
また、本発明の通信装置は、前記監視制御部は、前記通信部が使用する周波数チャンネルを監視し、前記第１の通信部が使用する周波数チャンネルと、前記第２の通信部が使用する周波数チャンネルとの周波数差に応じて送受信条件を調整することを特徴とするものである。
【０４６７】
このように構成することで、被干渉源と干渉源との周波数の近さによって干渉の大きさが異なることに対応し、きめ細かく干渉を除去した送受信を実行可能である。
【産業上の利用可能性】
【０４６８】
本発明は、同一または近隣の周波数帯を使用する複数の通信部を有する通信装置に有効である。
【図面の簡単な説明】
【０４６９】
【図１】本発明の実施の形態１における通信装置の構成を示す図
【図２】本発明の実施の形態２における通信装置の構成を示す図
【図３】本発明の実施の形態３における通信装置の構成を示す図
【図４】本発明の実施の形態４における通信装置の構成を示す図
【図５】ＷＬＡＮ通信部の構成を示す図
【図６】ＢＴ通信部の構成を示す図
【図７】従来例における通信装置の構成を示す図
【図８】ＡＦＨが実行されている様子を示す図
【符号の説明】
【０４７０】
１０    ＷＬＡＮ通信部
１１    ＢＴ通信部
１２    監視制御部
２１    ＷＬＡＮ受信信号
２２    ＷＬＡＮ送信信号
２５    ＷＬＡＮチャンネル番号
２６    ＷＬＡＮ動作状態
２７    ＷＬＡＮキャリアセンスオフセット
２８    ＷＬＡＮ送信オフセット
３１    ＷＬＡＮ−ＢＴ信号
３２    ＢＴ−ＷＬＡＮ信号
４１    ＢＴ受信信号
４２    ＢＴ送信信号
４５    ＢＴスロット番号
４６    ＢＴ動作状態
４８    ＢＴ送信オフセット
５２    受信フィルタ
５３    キャリアセンス部
５４    送信部
５５    復調部
５７    キャリアセンス閾値レジスタ
５８    送信電力レジスタ
５９    ＷＬＡＮチャンネルレジスタ
６２    干渉低減受信信号
６３    送信可否信号
６４    送信動作状態
６５    復調動作状態
６７    キャリアセンス閾値
６８    送信電力
７１    タイミング制御部
７２    受信フィルタ
７４    送信部
７５    復調部
７８    送信電力レジスタ
７９    ＡＦＨ部
８１    タイミング信号
８２    干渉低減受信信号
８４    送信動作状態
８５    復調動作状態
８６    スロット状態
８８    送信電力
【図１】
2008235978.tif 000006
【図２】
2008235978.tif 000007
【図３】
2008235978.tif 000008
【図４】
2008235978.tif 000009
【図５】
2008235978.tif 000010
【図６】
2008235978.tif 000011
【図７】
2008235978.tif 000012
【図８】
2008235978.tif 000013